(57)【要約】  本出願の実施例はデータ伝送方法及び装置を提供する。該方法は、第一の装置が第二の装置から送信された第一の指示情報を受信し、前記第一の指示情報が、前記第二の装置へ第一のデータの確認又は非確認（ＡＣＫ／ＮＡＣＫ）フィードバック情報を送信するか否かを前記第一の装置に指示することに用いられることと、前記第一の指示情報が、前記第一の装置が前記第二の装置へ前記第一のデータのＡＣＫ／ＮＡＣＫフィードバック情報を送信することを指示することに用いられる場合、前記第一の装置が前記第二の装置へ前記第一のデータのＡＣＫ／ＮＡＣＫフィードバック情報を送信することとを含む。本発明により、シグナリングオーバーヘッドを節約し、リソース利用率を向上させることができる。
2019530260.tif 000002
【特許請求の範囲】
【請求項１】
データ伝送方法であって、
第一の装置が第二の装置から送信された第一の指示情報を受信し、前記第一の指示情報が、前記第二の装置へ第一のデータの確認又は非確認（ＡＣＫ／ＮＡＣＫ）フィードバック情報を送信するか否かを前記第一の装置に指示することに用いられることと、
前記第一の指示情報が、前記第一の装置が前記第二の装置へ前記第一のデータのＡＣＫ／ＮＡＣＫフィードバック情報を送信することを指示することに用いられる場合、前記第一の装置が前記第二の装置へ前記第一のデータのＡＣＫ／ＮＡＣＫフィードバック情報を送信することとを含む、データ伝送方法。
【請求項２】
前記第一の装置が第二の装置から送信された第一の指示情報を受信することは、
前記第一の装置が、前記第二の装置からの、前記第一のデータをカプセル化するためのメッセージ又は前記第一のデータのスケジューリング情報に含まれる前記第一の指示情報を受信することを含むことを特徴とする
請求項１に記載の方法。
【請求項３】
前記第一の装置が第二の装置から送信された第一の指示情報を受信することは、
前記第一の装置が前記第二の装置からの、第二のデータをカプセル化するためのメッセージ又は前記第二のデータのスケジューリング情報に含まれる前記第一の指示情報を受信することを含むことを特徴とする
請求項１に記載の方法。
【請求項４】
前記第一のデータは前記第一の装置が第一の指示情報を受信する前又はその後に受信したＮ個のデータであり、Ｎが１以上であり、又は
前記第一のデータは前記第一の装置がＡＣＫ／ＮＡＣＫフィードバック情報を直近に送信した後に受信した少なくとも一つのデータであり、又は
前記第一のデータは前記第一の装置がフィードバック指示情報を直近に受信した後に受信した少なくとも一つのデータであり、前記フィードバック指示情報が、前記第二の装置へ第三のデータのＡＣＫ／ＮＡＣＫフィードバック情報を送信するように前記第一の装置に指示することに用いられることを特徴とする
請求項１又は３に記載の方法。
【請求項５】
前記第一の装置が前記第二の装置へ前記第一のデータのＡＣＫ／ＮＡＣＫフィードバック情報を送信する前に、前記方法はさらに、
前記第一の装置が前記第二のデータ又は前記第二のデータのスケジューリング情報に占有されたリソースに基づき、前記ＡＣＫ／ＮＡＣＫフィードバック情報を送信するためのリソースを確定することを含み、
ここで、前記第一の装置が前記第二の装置へ前記第一のデータのＡＣＫ／ＮＡＣＫフィードバック情報を送信することは、
前記第一の装置が前記ＡＣＫ／ＮＡＣＫフィードバック情報のリソースで前記第二の装置へ前記第一のデータのＡＣＫ／ＮＡＣＫフィードバック情報を送信することを含むことを特徴とする
請求項３に記載の方法。
【請求項６】
前記第一の指示情報はさらに前記第一のデータのＡＣＫ／ＮＡＣＫフィードバック情報を送信するためのリソース情報を含み、
ここで、前記第一の装置が前記第二の装置へ前記第一のデータのＡＣＫ／ＮＡＣＫフィードバック情報を送信することは、
前記第一の装置が前記第一のデータのＡＣＫ／ＮＡＣＫフィードバック情報を送信するためのリソース情報に基づき、前記ＡＣＫ／ＮＡＣＫフィードバック情報を送信するためのリソースを確定することと、
前記第一の装置が前記ＡＣＫ／ＮＡＣＫフィードバック情報のリソースで前記第二の装置へＡＣＫ／ＮＡＣＫフィードバック情報を送信することとを含むことを特徴とする
請求項１乃至４のいずれか一項に記載の方法。
【請求項７】
前記第一の指示情報はハイブリッド自動再送リクエスト（ＨＡＲＱ）タイミング情報を含み、前記ＨＡＲＱタイミング情報が、前記第一の装置が前記第一の指示情報を受信する時間と前記第一の装置が前記ＡＣＫ／ＮＡＣＫフィードバック情報を送信する時間の間の時間間隔情報を示すことに用いられ、
ここで、前記第一の装置が前記第二の装置へ第一のデータのＡＣＫ／ＮＡＣＫフィードバック情報を送信することは、
前記第一の装置が前記ＨＡＲＱタイミング情報に基づいて前記第二の装置へ前記第一のデータのＡＣＫ／ＮＡＣＫフィードバック情報を送信することを含むことを特徴とする
請求項１乃至６のいずれか一項に記載の方法。
【請求項８】
前記第一の装置が前記第二の装置へ前記第一のデータのＡＣＫ／ＮＡＣＫフィードバック情報を送信することは、
前記第一の装置が前記第一のデータに含まれる全てのデータブロックを正確に復号する場合、前記第一の装置が前記第二の装置へ前記第一のデータの確認（ＡＣＫ）情報を送信することと、
前記第一の装置が前記第一のデータに含まれる少なくとも一つのデータブロックを誤って復号する場合、前記第一の装置が前記第二の装置へ前記第一のデータの非確認（ＮＡＣＫ）情報を送信することとを含むことを特徴とする
請求項１乃至７のいずれか一項に記載の方法。
【請求項９】
データ伝送方法であって、
第二の装置が第一の装置へ第一の指示情報を送信し、前記第一の指示情報が、前記第二の装置へ第一のデータの確認又は非確認（ＡＣＫ／ＮＡＣＫ）フィードバック情報を送信するか否かを前記第一の装置に指示することに用いられることと、
前記第一の指示情報が、前記第一の装置が前記第二の装置へ前記第一のデータのＡＣＫ／ＮＡＣＫフィードバック情報を送信することを指示することに用いられる場合、前記第二の装置が前記第一の装置から送信された前記第一のデータのＡＣＫ／ＮＡＣＫフィードバック情報を受信することとを含む、データ伝送方法。
【請求項１０】
前記第二の装置が第一の装置へ第一の指示情報を送信することは、
前記第二の装置が前記第一のデータをカプセル化するためのメッセージ又は前記第一のデータのスケジューリング情報によって前記第一の装置へ前記第一の指示情報を送信することを含むことを特徴とする
請求項９に記載の方法。
【請求項１１】
前記第二の装置が第一の装置へ第一の指示情報を送信することは、
前記第二の装置が第二のデータをカプセル化するためのメッセージ又は前記第二のデータのスケジューリング情報によって前記第一の装置へ前記第一の指示情報を送信することを含むことを特徴とする
請求項９に記載の方法。
【請求項１２】
前記第一のデータは前記第二の装置が前記第一の指示情報を送信する前又はその後に送信したＮ個のデータであり、Ｎが１以上であり、又は
前記第一のデータは前記第二の装置がＡＣＫ／ＮＡＣＫフィードバック情報を直近に受信した後に送信した少なくとも一つのデータであり、又は
前記第一のデータは前記第二の装置がフィードバック指示情報を直近に送信した後に送信した少なくとも一つのデータであり、前記フィードバック指示情報が、前記第二の装置へ第三のデータのＡＣＫ／ＮＡＣＫフィードバック情報を送信するように前記第一の装置に指示することに用いられることを特徴とする
請求項９又は１１に記載の方法。
【請求項１３】
前記第二の装置が前記第一の装置から送信された前記第一のデータのＡＣＫ／ＮＡＣＫフィードバック情報を受信することは、
前記第二の装置が、前記第一の装置が前記第二のデータ又は前記第二のデータのスケジューリング情報に占有されたリソースに基づいて確定した、ＡＣＫ／ＮＡＣＫフィードバック情報を送信するためのリソースで送信された前記第一のデータのＡＣＫ／ＮＡＣＫフィードバック情報を受信することを含むことを特徴とする
請求項１１に記載の方法。
【請求項１４】
前記第一の指示情報はさらに前記第一のデータのＡＣＫ／ＮＡＣＫフィードバック情報を送信するためのリソース情報を含み、
ここで、前記第二の装置が前記第一の装置から送信された前記第一のデータのＡＣＫ／ＮＡＣＫフィードバック情報を受信することは、
前記第二の装置が、前記第一の装置が前記第一のデータのＡＣＫ／ＮＡＣＫフィードバック情報のリソース情報に基づいて送信した前記第一のデータのＡＣＫ／ＮＡＣＫフィードバック情報を受信することを含むことを特徴とする
請求項９乃至１２のいずれか一項に記載の方法。
【請求項１５】
前記第一の指示情報はハイブリッド自動再送リクエスト（ＨＡＲＱ）タイミング情報を含み、前記ＨＡＲＱタイミング情報が、前記第一の装置が前記第一の指示情報を受信する時間と前記第一の装置が前記ＡＣＫ／ＮＡＣＫフィードバック情報を送信する時間の間の時間間隔情報を示すことに用いられ、
ここで、前記第二の装置が前記第一の装置から送信された前記第一のデータのＡＣＫ／ＮＡＣＫフィードバック情報を受信することは、
前記第二の装置が、前記第一の装置が前記ＨＡＲＱタイミング情報に基づいて送信した前記第一のデータのＡＣＫ／ＮＡＣＫフィードバック情報を受信することを含むことを特徴とする
請求項９乃至１４のいずれか一項に記載の方法。
【請求項１６】
前記第二の装置が前記第一の装置から送信された前記第一のデータのＡＣＫ／ＮＡＣＫフィードバック情報を受信することは、
前記第一の装置が前記第一のデータに含まれる全てのデータブロックを正確に復号する場合、前記第二の装置が前記第一の装置から送信された前記第一のデータの確認（ＡＣＫ）情報を受信することと、
前記第一の装置が前記第一のデータに含まれる少なくとも一つのデータブロックを誤って復号する場合、前記第二の装置が前記第一の装置から送信された前記第一のデータの非確認（ＮＡＣＫ）情報を受信することとを含むことを特徴とする
請求項９乃至１５のいずれか一項に記載の方法。
【請求項１７】
データ伝送装置であって、
第二の装置から送信された第一の指示情報を受信するように構成され、前記第一の指示情報が、前記第二の装置へ第一のデータの確認又は非確認（ＡＣＫ／ＮＡＣＫ）フィードバック情報を送信するか否かを前記装置に指示することに用いられる受信モジュールと、
前記第一の指示情報が、前記装置が前記第二の装置へ第一のデータのＡＣＫ／ＮＡＣＫフィードバック情報を送信することを指示することに用いられる場合、前記第二の装置へ前記第一のデータのＡＣＫ／ＮＡＣＫフィードバック情報を送信するように構成される送信モジュールとを備える、データ伝送装置。
【請求項１８】
前記受信モジュールは具体的に前記第二の装置からの、前記第一のデータをカプセル化するためのメッセージ又は前記第一のデータのスケジューリング情報に含まれる前記第一の指示情報を受信するように構成されることを特徴とする
請求項１７に記載の装置。
【請求項１９】
前記受信モジュールは具体的に、
前記第二の装置からの、第二のデータをカプセル化するためのメッセージ又は前記第二のデータのスケジューリング情報に含まれる前記第一の指示情報を受信するように構成されることを特徴とする
請求項１７に記載の装置。
【請求項２０】
前記第一のデータは前記装置が第一の指示情報を受信する前又はその後に受信したＮ個のデータであり、Ｎが１以上であり、又は
前記第一のデータは前記装置がＡＣＫ／ＮＡＣＫフィードバック情報を直近に送信した後に受信した少なくとも一つのデータであり、又は
前記第一のデータは前記装置がフィードバック指示情報を直近に受信した後に受信した少なくとも一つのデータであり、前記フィードバック指示情報が、前記第二の装置へ第三のデータのＡＣＫ／ＮＡＣＫフィードバック情報を送信するように前記装置に指示することに用いられることを特徴とする
請求項１７又は１９に記載の装置。
【請求項２１】
前記装置はさらに、
前記第二の装置へ前記第一のデータのＡＣＫ／ＮＡＣＫフィードバック情報を送信する前に、前記第二のデータ又は前記第二のデータのスケジューリング情報に占有されたリソースに基づき、前記ＡＣＫ／ＮＡＣＫフィードバック情報を送信するためのリソースを確定するように構成される第一の確定モジュールを備え、
前記送信モジュールは具体的に前記ＡＣＫ／ＮＡＣＫフィードバック情報のリソースで前記第二の装置へ前記第一のデータのＡＣＫ／ＮＡＣＫフィードバック情報を送信するように構成されることを特徴とする
請求項１９に記載の装置。
【請求項２２】
前記第一の指示情報はさらに前記第一のデータのＡＣＫ／ＮＡＣＫフィードバック情報を送信するためのリソース情報を含み、
前記装置はさらに、
前記第一のデータのＡＣＫ／ＮＡＣＫフィードバック情報を送信するためのリソース情報に基づき、前記ＡＣＫ／ＮＡＣＫフィードバック情報を送信するためのリソースを確定するように構成される第二の確定モジュールを備え、
前記送信モジュールは具体的に前記ＡＣＫ／ＮＡＣＫフィードバック情報のリソースで前記第二の装置へＡＣＫ／ＮＡＣＫフィードバック情報を送信するように構成されることを特徴とする
請求項１７乃至２０のいずれか一項に記載の装置。
【請求項２３】
前記第一の指示情報はハイブリッド自動再送リクエスト（ＨＡＲＱ）タイミング情報を含み、前記ＨＡＲＱタイミング情報が、前記装置が前記第一の指示情報を受信する時間と前記装置が前記ＡＣＫ／ＮＡＣＫフィードバック情報を送信する時間の間の時間間隔情報を示すことに用いられ、
前記送信モジュールは具体的に前記ＨＡＲＱタイミング情報に基づいて前記第二の装置へ前記第一のデータのＡＣＫ／ＮＡＣＫフィードバック情報を送信することを含むことを特徴とする
請求項１７乃至２２のいずれか一項に記載の装置。
【請求項２４】
前記送信モジュールは具体的に、
前記装置が前記第一のデータに含まれる全てのデータブロックを正確に復号する場合、前記第二の装置へ前記第一のデータの確認（ＡＣＫ）情報を送信し、
前記装置が前記第一のデータに含まれる少なくとも一つのデータブロックを誤って復号する場合、前記第二の装置へ前記第一のデータの非確認（ＮＡＣＫ）情報を送信するように構成されることを特徴とする
請求項１７乃至２３のいずれか一項に記載の装置。
【請求項２５】
データ伝送装置であって、
第一の装置へ第一の指示情報を送信するように構成され、前記第一の指示情報が、前記装置へ第一のデータの確認又は非確認（ＡＣＫ／ＮＡＣＫ）フィードバック情報を送信するか否かを前記第一の装置に指示することに用いられる送信モジュールと、
前記第一の指示情報が、前記第一の装置が前記装置へ前記第一のデータのＡＣＫ／ＮＡＣＫフィードバック情報を送信することを指示することに用いられる場合、前記第一の装置から送信された前記第一のデータのＡＣＫ／ＮＡＣＫフィードバック情報を受信するように構成される受信モジュールとを備える、データ伝送装置。
【請求項２６】
前記送信モジュールは具体的に、
前記第一のデータをカプセル化するためのメッセージ又は前記第一のデータのスケジューリング情報によって前記第一の装置へ前記第一の指示情報を送信するように構成されることを特徴とする
請求項２５に記載の装置。
【請求項２７】
前記送信モジュールは具体的に、
第二のデータをカプセル化するためのメッセージ又は前記第二のデータのスケジューリング情報によって前記第一の装置へ前記第一の指示情報を送信するように構成されることを特徴とする
請求項２５に記載の装置。
【請求項２８】
前記第一のデータは前記装置が前記第二のデータを送信する前又はその後に送信したＮ個のデータであり、Ｎが１以上であり、又は
前記第一のデータは前記装置がＡＣＫ／ＮＡＣＫフィードバック情報を直近に受信した後に送信した少なくとも一つのデータであり、又は
前記第一のデータは前記装置がフィードバック指示情報を直近に送信した後に送信した少なくとも一つのデータであり、前記フィードバック指示情報が、前記第一の装置が前記装置へ第三のデータのＡＣＫ／ＮＡＣＫフィードバック情報を送信することを指示することに用いられることを特徴とする
請求項２５又は２７に記載の装置。
【請求項２９】
前記受信モジュールは具体的に、
前記第一の装置が前記第二のデータ又は前記第二のデータのスケジューリング情報に占有されたリソースに基づいて確定した、ＡＣＫ／ＮＡＣＫフィードバック情報を送信するためのリソースで送信された前記第一のデータのＡＣＫ／ＮＡＣＫフィードバック情報を受信するように構成されることを特徴とする
請求項２７に記載の装置。
【請求項３０】
前記第一の指示情報はさらに前記第一のデータのＡＣＫ／ＮＡＣＫフィードバック情報を送信するためのリソース情報を含み、
前記受信モジュールは具体的に前記第一の装置が前記第一のデータのＡＣＫ／ＮＡＣＫフィードバック情報のリソース情報に基づいて送信した前記第一のデータのＡＣＫ／ＮＡＣＫフィードバック情報を受信するように構成されることを特徴とする
請求項２５乃至２８のいずれか一項に記載の装置。
【請求項３１】
前記第一の指示情報はハイブリッド自動再送リクエスト（ＨＡＲＱ）タイミング情報を含み、前記ＨＡＲＱタイミング情報が、前記第一の装置が前記第一の指示情報を受信する時間と前記第一の装置が前記ＡＣＫ／ＮＡＣＫフィードバック情報を送信する時間の間の時間間隔情報を示すことに用いられ、
前記受信モジュールはさらに具体的に前記第一の装置が前記ＨＡＲＱタイミング情報に基づいて送信した前記第一のデータのＡＣＫ／ＮＡＣＫフィードバック情報を受信するように構成されることを特徴とする
請求項２５乃至３０のいずれか一項に記載の装置。
【請求項３２】
前記受信モジュールは具体的に、
前記第一の装置が前記第一のデータに含まれる全てのデータブロックを正確に復号する場合、前記装置が前記第一の装置から送信された前記第一のデータの確認（ＡＣＫ）情報を受信し、
前記第一の装置が前記第一のデータに含まれる少なくとも一つのデータブロックを誤って復号する場合、前記装置が前記第一の装置から送信された前記第一のデータの非確認（ＮＡＣＫ）情報を受信するように構成されることを特徴とする
請求項２５乃至３１のいずれか一項に記載の装置。
【発明の詳細な説明】
【技術分野】
【０００１】
本出願は通信分野に関し、且つより具体的には、データ伝送方法及び装置に関する。
【背景技術】
【０００２】
従来のネットワークシステムでは、第二の装置がデータを送信した後、第一の装置はデータを受信する時にデータを復号する必要があり、復号結果に基づいて確認／非確認（Ａｃｋｎｏｗｌｅｄｇｅ／Ｎｏｎ−ａｃｋｎｏｗｌｅｄｇｅ：「ＡＣＫ／ＮＡＣＫ」と略称）を返信し、その後第二の装置はハイブリッド自動再送リクエスト（Ｈｙｂｒｉｄ  Ａｕｔｏｍａｔｉｃ  Ｒｅｐｅａｔ  Ｒｅｑｕｅｓｔ：「ＨＡＲＱ」と略称）の再送信を行う必要があるか否かをさらに確定する。データの復号とＡＣＫ／ＮＡＣＫの返信がいずれも一定の時間を必要とするため、伝送遅延が長くなり、しかも毎回のＡＣＫ／ＮＡＣＫフィードバックが制御チャネルリソースを占有する必要がある。将来のネットワークシステムは、データ伝送の遅延及び信頼性、特に高信頼性及び低遅延通信（Ｕｌｔｒａ−ｒｅｌｉａｂｌｅ  Ｌｏｗ−ｌａｔｅｎｃｙ：「ＵＲＬＬＣ」と略称）サービスに対する要求が高く求められる。端末装置の伝送の信頼性（データを正確に受信できる確率）が高い場合、データを伝送するたびにＡＣＫ／ＮＡＣＫフィードバックを行い、ある程度で長い伝送遅延の起因になり、しかもシグナリングのオーバヘッドを増加させる。
【発明の概要】
【発明が解決しようとする課題】
【０００３】
本出願の実施例はデータの伝送遅延を減らし、シグナリングオーバーヘッドを削減することができる、データ伝送方法及び装置を提供する。
【課題を解決するための手段】
【０００４】
第一の態様によるデータ伝送方法は、
第一の装置が第二の装置から送信された第一の指示情報を受信し、前記第一の指示情報が、前記第二の装置へ第一のデータのＡＣＫ／ＮＡＣＫフィードバック情報を送信するか否かを前記第一の装置に指示することに用いられることと、前記第一の指示情報が、前記第一の装置が前記第二の装置へ前記第一のデータのＡＣＫ／ＮＡＣＫフィードバック情報を送信することを指示することに用いられる場合、前記第一の装置が前記第二の装置へ前記第一のデータのＡＣＫ／ＮＡＣＫフィードバック情報を送信することとを含む。
【０００５】
本出願の実施例では、第一の装置は第二の装置から送信された第一の指示情報を受信し、該第一の指示情報が、該第一のデータのＡＣＫ／ＮＡＣＫフィードバック情報を送信するか否かを第一の装置に指示することに用いられ、第一の指示情報が、第一の装置が第一のデータのＡＣＫ／ＮＡＣＫフィードバック情報を送信しないことを指示することに用いられる場合、第一の装置は該第一のデータのＡＣＫ／ＮＡＣＫフィードバック情報を送信せず、該第一の指示情報が、第一の装置が第一のデータのＡＣＫ／ＮＡＣＫフィードバック情報を送信することを指示する場合、第一の装置は第二の装置へ該第一のデータのＡＣＫ／ＮＡＣＫフィードバック情報を送信し、第一の装置は第一の指示情報の指示に応じて第二の装置へ第一のデータのＡＣＫ／ＮＡＣＫフィードバック情報を送信することができ、例えば該ＡＣＫ／ＮＡＣＫフィードバック情報が確認又は非確認であってもよく、このようにして、第一の装置が常に第二の装置へ第一のデータのＡＣＫ／ＮＡＣＫフィードバック情報を送信することを回避し、伝送遅延を減らすことができ、シグナリングオーバーヘッドを節約し、リソース浪費を減少し、リソース利用率を向上させることができる。
【０００６】
選択可能に、該第一のデータは一つ又は複数のデータパケットであってもよく、又は該第一のデータは一つ又は複数のデータブロックであってもよい。
【０００７】
又は、第一の装置は端末装置であってもよく、第二の装置はネットワーク装置であってもよく、又は第一の装置はネットワーク装置であってもよく、第二の装置は端末装置であってもよく、又は第一の装置は端末装置であってもよく、第二の装置は端末装置であってもよい。
【０００８】
第一の態様の第一の可能な実施形態では、前記第一の装置が第二の装置から送信された第一の指示情報を受信することは、前記第一の装置が、前記第二の装置からの、前記第一のデータをカプセル化するためのメッセージ又は前記第一のデータのスケジューリング情報に含まれる前記第一の指示情報を受信することを含む。
【０００９】
本出願の実施例では、第一の指示情報が第一のデータをカプセル化するためのメッセージ又は第一のデータのスケジューリング情報に含まれる場合、該第一の指示情報は第一のデータのＡＣＫ／ＮＡＣＫフィードバック情報をフィードバックするか否かを指示することに用いられ、即ち各データにそれ自体の第一の指示情報が含まれ、該第一のデータのＡＣＫ／ＮＡＣＫフィードバック情報をフィードバックする必要があるか否かを指示し、このようにして、第一の装置は第一の指示情報に基づいて第二の装置へ第一のデータのＡＣＫ／ＮＡＣＫフィードバック情報をフィードバックすることができ、これにより、シグナリングオーバーヘッドを節約し、リソース利用率を向上させることができる。
【００１０】
又は、該第一のデータのスケジューリング情報は第一のデータの制御情報であってもよく、例えば第一の装置が端末装置であり、第二の装置がネットワーク装置である場合、該第一のデータのスケジューリング情報はダウンリンク制御情報（Ｄｏｗｎｌｉｎｋ  Ｃｏｎｔｒｏｌ  Ｉｎｆｏｒｍａｔｉｏｎ：「ＤＣＩ」と略称）であってもよい。
【００１１】
第一の態様の上記の可能な実施形態と組み合わせ、第一の態様の第二の可能な実施形態では、前記第一の装置が第二の装置から送信された第一の指示情報を受信することは、前記第一の装置が前記第二の装置からの、第二のデータをカプセル化するためのメッセージ又は前記第二のデータのスケジューリング情報に含まれる前記第一の指示情報を受信することを含む。
【００１２】
本出願の実施例では、第一の指示情報が第二のデータをカプセル化するためのメッセージ又は第二のデータのスケジューリング情報に含まれる場合、該第一の指示情報は第一のデータのＡＣＫ／ＮＡＣＫフィードバック情報をフィードバックするか否かを指示することに用いられ、即ち第二のデータに第一のデータの第一の指示情報が含まれ、該第一のデータのＡＣＫ／ＮＡＣＫフィードバック情報をフィードバックする必要があるか否かを指示し、このようにして、第一の装置は第一の指示情報に基づいて第二の装置へ第一のデータのＡＣＫ／ＮＡＣＫフィードバック情報をフィードバックすることができ、これにより、シグナリングオーバーヘッドを節約し、リソース利用率を向上させることができる。
【００１３】
さらに、該第一のデータが複数のデータパケット又は複数の伝送ブロックを含む場合、第二のデータに複数のデータパケット又は複数のデータに対応するＡＣＫ／ＮＡＣＫフィードバックの指示情報が含まれ、複数のデータパケット又は複数の伝送ブロックのフィードバック指示情報は第二のデータに含まれる第一の指示情報によって指示されてもよく、これによりすべてのデータパケット又は伝送ブロックに対するＡＣＫ／ＮＡＣＫフィードバック情報を送信することによって生じるリソースオーバーヘッドを回避し、リソース利用率をさらに向上させることができる。
【００１４】
第一の態様の上記の可能な実施形態では、第一の態様の第三の可能な実施形態では、前記第一のデータは前記第一の装置が第一の指示情報を受信する前又はその後に受信したＮ個のデータであり、Ｎが１以上であり、又は
前記第一のデータは前記第一の装置がＡＣＫ／ＮＡＣＫフィードバック情報を直近に送信した後に受信した少なくとも一つのデータであり、又は
前記第一のデータは前記第一の装置がフィードバック指示情報を直近に受信した後に受信した少なくとも一つのデータであり、前記フィードバック指示情報が、前記第二の装置へ第三のデータのＡＣＫ／ＮＡＣＫフィードバック情報を送信するように前記第一の装置に指示することに用いられる。
【００１５】
選択可能に、前記第一のデータは前記第一の装置がＡＣＫ／ＮＡＣＫフィードバック情報を前回送信してから前記第一のデータのＡＣＫ／ＮＡＣＫフィードバックを送信するまでの間で受信した少なくとも一つのデータであり、又は、前記第一のデータは前記第一の装置がフィードバック指示情報を直近に受信してから前記第一の指示情報を受信するまでの間で受信した少なくとも一つのデータであり、前記フィードバック指示情報が、前記第二の装置へ第三のデータのＡＣＫ／ＮＡＣＫフィードバック情報を送信するように前記第一の装置に指示することに用いられる。
【００１６】
具体的には、該第一のデータは第一の装置が直近に受信したＮ個のデータであってもよく、例えば該第一のデータは第一の装置がその前又はその後に受信したＮ個のデータであり、このようにして、第一の指示情報はＮ個のデータのＡＣＫ／ＮＡＣＫフィードバック情報を送信するか否かを指示することができ、第一のデータは第一の装置がＡＣＫ／ＮＡＣＫフィードバック情報を前回、即ち直近に送信した後に受信した一つ又は複数のデータであってもよく、第一のデータは第一の装置がフィードバック指示情報を前回、即ち直近に受信した後に受信した一つ又は複数のデータであってもよく、当然、第一のデータは第一の装置が今回送信する必要があるＡＣＫ／ＮＡＣＫフィードバック情報と前回送信したＡＣＫ／ＮＡＣＫフィードバック情報の間の少なくとも一つのデータであってもよく、又は第一のデータは今回受信した第一の指示情報と直近に受信したフィードバック指示情報の間の少なくとも一つのデータであってもよく、該第三のデータは該フィードバック指示情報に指示される、ＡＣＫ／ＮＡＣＫフィードバック情報を送信する必要があるか否かのデータであってもよい。
【００１７】
さらに、該第一のデータは該第一の装置が第一の指示情報を受信する前又はその後に受信したＮ個のデータではなくてもよく、例えば、第一のデータの復号が一定の時間を必要し、第一の装置によって受信された該第一のデータの復号開始時間及び復号終了時間の前の第四のデータが第一のデータに含まれなくてもよく、即ち第一のデータを受信してから第一の指示情報を受信するまでの間が第四のデータに隔てられ、即ち第一の装置が第一の指示情報を受信し、該第一の指示情報が第一のデータのＡＣＫ／ＮＡＣＫフィードバック情報をフィードバックすることを指示する場合、第一の装置は第一のデータのＡＣＫ／ＮＡＣＫフィードバック情報をフィードバックすることができ、このようにして、第一の指示情報を受信する時に、第一のデータの復号を待って引き起こされる遅延を回避することができる。
【００１８】
第一の態様の上記の可能な実施形態と組み合わせ、第一の態様の第四の実施形態では、前記第一の装置が前記第二の装置へ前記第一のデータのＡＣＫ／ＮＡＣＫフィードバック情報を送信する前に、前記方法はさらに前記第一の装置が前記第二のデータ又は前記第二のデータのスケジューリング情報に占有されたリソースに基づき、ＡＣＫ／ＮＡＣＫフィードバック情報を送信するためのリソースを確定することを含み、ここで、前記第一の装置が前記第二の装置へ前記第一のデータのＡＣＫ／ＮＡＣＫフィードバック情報を送信することは、前記第一の装置が前記ＡＣＫ／ＮＡＣＫフィードバック情報のリソースで前記第二の装置へ前記第一のデータのＡＣＫ／ＮＡＣＫフィードバック情報を送信することを含む。
【００１９】
本出願の実施例では、第二のデータ又は第二のデータのスケジューリング情報に占有されたリソースに基づいて第一のデータのＡＣＫ／ＮＡＣＫフィードバック情報のリソースを確定することができる。例えば、前記第一のデータのＡＣＫ／ＮＡＣＫフィードバック情報を伝送するサブフレームは前記第二のデータ又は第二のデータのスケジューリング情報に占有されたサブフレームに基づいて確定されてもよい。例えば、前記第一のデータのＡＣＫ／ＮＡＣＫフィードバック情報を伝送するアップリンク制御チャネルリソースは第二のデータのスケジューリング情報に占有された第一の制御チャネルユニット（Ｃｏｎｔｒｏｌ  Ｃｈａｎｎｅｌ  Ｅｌｅｍｅｎｔ：「ＣＣＥ」と略称）のインデックスに基づいて確定されてもよく、又は第一のデータのＡＣＫ／ＮＡＣＫフィードバック情報のアップリンク制御チャネルリソースは第一のデータに占有された１番目の物理リソースブロック（Ｐｈｙｓｉｃａｌ  Ｒｅｓｏｕｒｃｅ  Ｂｌｏｃｋ：「ＰＲＢ」と略称）に基づいて確定されてもよい。ここで、前記アップリンク制御チャネルは物理アップリンクリンク制御チャネル（Ｐｈｙｓｉｃａｌ  Ｕｐｌｉｎｋ  Ｃｏｎｔｒｏｌ Ｃｈａｎｎｅｌ：「ＰＵＣＣＨ」と略称）であってもよく、前記第二のデータのスケジューリング情報は前記第二のデータをスケジューリングするためのＤＣＩであってもよい。
【００２０】
第一の態様の上記の可能な実施形態と組み合わせ、第一の態様の第五の実施形態では、前記第一の指示情報はさらに前記第一のデータのＡＣＫ／ＮＡＣＫフィードバック情報を送信するためのリソース情報を含み、ここで、前記第一の装置が前記第二の装置へ前記第一のデータのＡＣＫ／ＮＡＣＫフィードバック情報を送信することは、前記第一の装置が前記第一のデータのＡＣＫ／ＮＡＣＫフィードバック情報を送信するためのリソース情報に基づき、前記ＡＣＫ／ＮＡＣＫフィードバック情報を送信するためのリソースを確定することと、前記第一の装置が前記ＡＣＫ／ＮＡＣＫフィードバック情報のリソースで前記第二の装置へＡＣＫ／ＮＡＣＫフィードバック情報を送信することとを含む。
【００２１】
本出願の実施例では、前記第一のデータのＡＣＫ／ＮＡＣＫフィードバック情報を送信するためのリソースは第二のデータ又は第二のデータのスケジューリング情報に占有されたリソースに基づいて確定されることができるだけでなく、第一の指示情報は第一のデータのＡＣＫ／ＮＡＣＫフィードバック情報を送信するためのリソース情報を含むこともでき、例えば該リソース情報はリソースインデックス又はリソースオフセット量などであってもよく、このようにして、第一の装置が該第一の指示情報を受信した場合、該第一の指示情報に基づいて第一のデータを送信するためのＡＣＫ／ＮＡＣＫフィードバック情報を送信するためのリソース情報を確定することができる。例えば、前記リソースは前記ＡＣＫ／ＮＡＣＫフィードバック情報を伝送するためのアップリンク制御チャネルリソースであってもよい。典型的には、前記アップリンク制御チャネルはＰＵＣＣＨであってもよい。
【００２２】
第一の態様の上記の可能な実施形態と組み合わせ、第一の態様の第六の実施形態では、前記第一の指示情報はハイブリッド自動再送リクエスト（Ｈｙｂｒｉｄ  Ａｕｔｏｍａｔｉｃ  Ｒｅｐｅａｔ  Ｒｅｑｕｅｓｔ：「ＨＡＲＱ」と略称）タイミング情報を含み、前記ＨＡＲＱタイミング情報が、前記第一の装置が前記第一の指示情報を受信する時間と前記第一の装置が前記ＡＣＫ／ＮＡＣＫフィードバック情報を送信する時間の間の時間間隔情報を示すことに用いられ、ここで、前記第一の装置が前記第二の装置へ第一のデータのＡＣＫ／ＮＡＣＫフィードバック情報を送信することは、前記第一の装置が前記ＨＡＲＱタイミング情報に基づいて前記第二の装置へ前記第一のデータのＡＣＫ／ＮＡＣＫフィードバック情報を送信することを含む。
【００２３】
第一の態様の上記の可能な実施形態と組み合わせ、第一の態様の第七の実施形態では、前記第一の装置が前記第二の装置へ前記第一のデータのＡＣＫ／ＮＡＣＫフィードバック情報を送信することは、前記第一の装置が前記第一のデータに含まれる全てのデータブロックを正確に復号する場合、前記第一の装置が前記第二の装置へ前記第一のデータの確認（ＡＣＫ）情報を送信することと、前記第一の装置が前記第一のデータに含まれる少なくとも一つのデータブロックを誤って復号する場合、前記第一の装置が前記第二の装置へ前記第一のデータの非確認（ＮＡＣＫ）情報を送信することとを含む。
【００２４】
第二の態様によるデータ伝送方法は、第二の装置が第一の装置へ第一の指示情報を送信し、前記第一の指示情報が、前記第二の装置へ第一のデータのＡＣＫ／ＮＡＣＫフィードバック情報を送信するか否かを前記第一の装置に指示することに用いられることと、前記第一の指示情報が、前記第一の装置が前記第二の装置へ前記第一のデータのＡＣＫ／ＮＡＣＫフィードバック情報を送信することを指示することに用いられる場合、前記第二の装置が前記第一の装置から送信された前記第一のデータのＡＣＫ／ＮＡＣＫフィードバック情報を受信することとを含む。
【００２５】
第二の態様の第一の可能な実施形態では、前記第二の装置が第一の装置へ第一の指示情報を送信することは、前記第二の装置が前記第一のデータをカプセル化するためのメッセージ又は前記第一のデータのスケジューリング情報によって前記第一の装置へ前記第一の指示情報を送信することを含む。
【００２６】
第二の態様の上記の可能な実施形態と組み合わせ、第二の態様の第二の実施形態では、前記第二の装置が第一の装置へ第一の指示情報を送信することは、前記第二の装置が第二のデータをカプセル化するためのメッセージ又は前記第二のデータのスケジューリング情報によって前記第一の装置へ前記第一の指示情報を送信することを含む。
【００２７】
第二の態様の上記の可能な実施形態と組み合わせ、第二の態様の第三の実施形態では、前記第一のデータは前記第二の装置が前記第一の指示情報を送信する前又はその後に送信したＮ個のデータであり、Ｎが１以上であり、又は前記第一のデータは前記第二の装置がＡＣＫ／ＮＡＣＫフィードバック情報を直近に受信した後に送信した少なくとも一つのデータであり、又は前記第一のデータは前記第二の装置がフィードバック指示情報を直近に送信した後に送信した少なくとも一つのデータであり、前記フィードバック指示情報が、前記第二の装置へ第三のデータのＡＣＫ／ＮＡＣＫフィードバック情報を送信するように前記第一の装置に指示することに用いられる。
【００２８】
選択可能に、前記第一のデータは前記第二の装置がＡＣＫ／ＮＡＣＫフィードバック情報を前回受信してから前記第一のデータのＡＣＫ／ＮＡＣＫフィードバック情報を受信するまでの間で送信した少なくとも一つのデータであり、又は前記第一のデータは前記第二の装置がフィードバック指示情報を直近に送信してから前記第一の指示情報を送信するまでの間で送信した少なくとも一つのデータであり、前記フィードバック指示情報が、前記第二の装置へ第三のデータのＡＣＫ／ＮＡＣＫフィードバック情報を送信するように前記第一の装置に指示することに用いられる。
【００２９】
第二の態様の上記の可能な実施形態では、第二の態様の第四の実施形態では、前記第二の装置が前記第一の装置から送信された前記第一のデータのＡＣＫ／ＮＡＣＫフィードバック情報を受信することは、前記第二の装置が、前記第一の装置が前記第二のデータ又は前記第二のデータのスケジューリング情報に占有されたリソースに基づいて確定した、ＡＣＫ／ＮＡＣＫフィードバック情報を送信するためのリソースで送信された前記第一のデータのＡＣＫ／ＮＡＣＫフィードバック情報を受信することを含む。
【００３０】
第二の態様の上記の可能な実施形態では、第二の態様の第五の実施形態では、前記第一の指示情報はさらに前記第一のデータのＡＣＫ／ＮＡＣＫフィードバック情報を送信するためのリソース情報を含み、ここで、前記第二の装置が前記第一の装置から送信された前記第一のデータのＡＣＫ／ＮＡＣＫフィードバック情報を受信することは、前記第二の装置が、前記第一の装置が前記第一のデータのＡＣＫ／ＮＡＣＫフィードバック情報のリソース情報に基づいて送信した前記第一のデータのＡＣＫ／ＮＡＣＫフィードバック情報を受信することを含む。
【００３１】
第二の態様の上記の可能な実施形態では、第二の態様の第六の実施形態では、前記第一の指示情報はハイブリッド自動再送リクエスト（ＨＡＲＱ）タイミング情報を含み、前記ＨＡＲＱタイミング情報が、前記第一の装置が前記第一の指示情報を受信する時間と前記第一の装置が前記ＡＣＫ／ＮＡＣＫフィードバック情報を送信する時間の間の時間間隔情報を示すことに用いられ、ここで、前記第二の装置が前記第一の装置から送信された前記第一のデータのＡＣＫ／ＮＡＣＫフィードバック情報を受信することは、前記第二の装置が、前記第一の装置が前記ＨＡＲＱタイミング情報に基づいて送信した前記第一のデータのＡＣＫ／ＮＡＣＫフィードバック情報を受信することを含む。
【００３２】
第二の態様の上記の可能な実施形態では、第二の態様の第七の実施形態では、前記第二の装置が前記第一の装置から送信された前記第一のデータのＡＣＫ／ＮＡＣＫフィードバック情報を受信することは、前記第一の装置が前記第一のデータに含まれる複数のデータブロックを正確に復号する場合、前記第二の装置が前記第一の装置から送信された前記第一のデータの確認（ＡＣＫ）情報を受信することと、前記第一の装置が前記第一のデータに含まれる少なくとも一つのデータブロックを誤って復号する場合、前記第二の装置が前記第一の装置から送信された前記第一のデータの非確認（ＮＡＣＫ）情報を受信することとを含む。
【００３３】
第三の態様によるデータ伝送装置は、上記の第一の態様又は第一の態様のいずれかの可能な実施形態における方法を実行することに用いられる。具体的には、該装置は上記の第一の態様又は第一の態様のいずれかの可能な実施形態における方法を実行するためのユニットを備える。
【００３４】
第四の態様によるデータ伝送装置は、上記の第二の態様又は第二の態様のいずれかの可能な実施形態における方法を実行することに用いられる。具体的には、該装置は上記の第二の態様又は第二の態様のいずれかの可能な実施形態における方法を実行するためのユニットを備える。
【００３５】
第五の態様によるデータ伝送システムは第三の態様に記載される装置と第四の態様に記載される装置を備える。
【００３６】
第六の態様によるデータ伝送装置は、受信機、送信機、メモリ、プロセッサとバスシステムを備える。ここで、該受信機、該送信機、該メモリと該プロセッサは該バスシステムを介して接続され、該メモリが命令を記憶することに用いられ、該プロセッサが該メモリに記憶された命令を実行し、信号を受信するように受信機を制御し、信号を送信するように送信機を制御することに用いられ、該プロセッサが該メモリに記憶された命令を実行する場合、該実行により該プロセッサが第一の態様又は第一の態様のいずれかの可能な実施形態における方法を実行する。
【００３７】
第七の態様によるデータ伝送装置は、受信機、送信機、メモリ、プロセッサとバスシステムを備える。ここで、該受信機、該送信機、該メモリと該プロセッサは該バスシステムを介して接続され、該メモリが命令を記憶することに用いられ、該プロセッサが該メモリに記憶された命令を実行し、信号を受信するように受信機を制御し、信号を送信するように送信機を制御することに用いられ、該プロセッサが該メモリに記憶された命令を実行する場合、該実行により該プロセッサが第二の態様又は第二の態様のいずれかの可能な実施形態における方法を実行する。
【００３８】
第八の態様によるコンピュータ可読媒体は、第一の態様又は第一の態様のいずれかの可能な実施形態における方法を実行するための命令を含むコンピュータプログラムを記憶することに用いられる。
【００３９】
第九の態様によるコンピュータ可読媒体は、第二の態様又は第二の態様のいずれかの可能な実施形態における方法を実行するための命令を含むコンピュータプログラムを記憶することに用いられる。
【図面の簡単な説明】
【００４０】
【図１】本出願の実施例によるデータ伝送方法の概略図である。
【図２】本出願の実施例によるデータ伝送方法の他の概略図である。
【図３】本出願の実施例によるデータ伝送装置の概略ブロック図である。
【図４】本出願の実施例によるデータ伝送装置の他の概略ブロック図である。
【図５】本出願の実施例によるデータ伝送システムの概略ブロック図である。
【図６】本出願の実施例によるデータ伝送装置の概略ブロック図である。
【図７】本出願の実施例によるデータ伝送装置の他の概略ブロック図である。
【発明を実施するための形態】
【００４１】
本出願の実施例の技術的解決策をより明確に説明するために、以下に実施例又は従来技術の説明に必要な図面を簡単に説明し、明らかに、以下に記載される図面が本出願のくつかの実施例だけであり、当業者であれば、創造的な労力を要することなく、これらの図面に基づいて他の図面を得ることができる。
【００４２】
以下に、本出願の実施例の図面を組み合わせながら、本出願の実施例における技術的解決策を明確に全面的に説明し、明らかに、説明される実施例は本出願の一部の実施例に過ぎず、全ての実施例ではない。本発明の実施例に基づき、当業者が創造的な労力を要せずに得た他の実施例は、全て本発明の保護範囲に属する。
【００４３】
理解すべきものとして、本出願の実施例の技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ  Ｓｙｓｔｅｍ：「ＴＤＤ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）又はグローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム、及び将来の可能な通信システムなどに応用されてもよい。
【００４４】
また、理解すべきものとして、本出願の実施例では、端末装置はユーザ機器（Ｕｓｅｒ  Ｅｑｕｉｐｍｅｎｔ：「ＵＥ」と略称）、端末デバイス、移動局（Ｍｏｂｉｌｅ  Ｓｔａｔｉｏｎ：「ＭＳ」と略称）、移動端末（Ｍｏｂｉｌｅ  Ｔｅｒｍｉｎａｌ）又は将来の５Ｇネットワークにおける端末装置などと呼ばれてもよく、該端末装置は無線アクセスネットワーク（Ｒａｄｉｏ  Ａｃｃｅｓｓ  Ｎｅｔｗｏｒｋ：「ＲＡＮ」と略称）を介して一つ又は複数のコアネットワークと通信を行うことができ、例えば、端末は携帯電話（又は「セルラ」電話と呼ばれる）又は移動端末を有しているコンピュータなどであってもよく、例えば、端末はさらにポータブル、ポケット、ハンドヘルド、コンピュータ内蔵又は車載の移動装置であってもよく、それらは無線アクセスネットワークと音声及び／又はデータを交換する。
【００４５】
本出願の実施例では、ネットワーク装置はＧＳＭ又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎｏｄｅ  Ｂ：「ｅＮＢ又はｅＮｏｄｅＢ」と略称）であってもよいし、クラウドワイヤレスアクセスネットワーク（Ｃｌｏｕｄ  Ｒａｄｉｏ  Ａｃｃｅｓｓ  Ｎｅｔｗｏｒｋ：「ＣＲＡＮ」略称）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよい。
【００４６】
図１は本出願の実施例によるデータ伝送方法１００の概略フローチャートである。図１に情報を伝送するための方法のステップ又は操作が示されるが、これらのステップ又は操作は例に過ぎず、本出願の実施例は他の操作又は図１の各操作の変形を実行することができ、該方法１００はＳ１１０とＳ１２０を含む。
【００４７】
Ｓ１１０において、第一の装置は第二の装置から送信された第一の指示情報を受信し、前記第一の指示情報が、前記第二の装置へ第一のデータのＡＣＫ／ＮＡＣＫフィードバック情報を送信するか否かを前記第一の装置に指示することに用いられる。
【００４８】
Ｓ１２０において、前記第一の指示情報が、前記第一の装置が前記第二の装置へ前記第一のデータのＡＣＫ／ＮＡＣＫフィードバック情報を送信することを指示することに用いられる場合、前記第一の装置は前記第二の装置へ前記第一のデータのＡＣＫ／ＮＡＣＫフィードバック情報を送信する。
【００４９】
図２は本出願の実施例によるデータ伝送方法２００の概略フローチャートである。図２に情報を伝送するための方法のステップ又は操作が示されるが、これらのステップ又は操作は例に過ぎず、本出願の実施例は他の操作又は図２の各操作の変形を実行することができ、該方法２００はＳ２１０とＳ２２０を含む。
【００５０】
Ｓ２１０において、第二の装置は第一の装置へ第一の指示情報を送信し、前記第一の指示情報が、前記第二の装置へ第一のデータのＡＣＫ／ＮＡＣＫフィードバック情報を送信するか否かを前記第一の装置に指示することに用いられる。
【００５１】
Ｓ２２０において、前記第一の指示情報が、前記第一の装置が前記第二の装置へ前記第一のデータのＡＣＫ／ＮＡＣＫフィードバック情報を送信することを指示することに用いられる場合、前記第二の装置が前記第一の装置から送信された前記第一のデータのＡＣＫ／ＮＡＣＫフィードバック情報を受信する。
【００５２】
理解すべきものとして、第一の装置は端末装置であってもよく、第二の装置はネットワーク装置であってもよく、又は第一の装置はネットワーク装置であってもよく、第二の装置は端末装置であってもよく、又は第一の装置は端末装置であってもよく、第二の装置は端末装置であってもよく、又は第一の装置はネットワーク装置であってもよく、第二の装置はネットワーク装置であってもよく、本出願の実施例はこれに限定されない。
【００５３】
理解すべきものとして、該第一のデータは一つ又は複数のデータパケットであってもよく、又は該第一のデータは一つ又は複数のデータブロックであってもよい。
【００５４】
具体的には、第二の装置は第一の装置へ第一の指示情報を送信し、該第一の指示情報が、第二の装置へ第一のデータのＡＣＫ／ＮＡＣＫフィードバック情報を送信するか否かを第一の装置に指示することに用いられ、例えば該ＡＣＫ／ＮＡＣＫフィードバック情報がＡＣＫ又はＮＡＣＫであってもよく、第一の装置が該第一の指示情報を受信し、該第一の指示情報が、第二の装置へ第一のデータのＡＣＫ／ＮＡＣＫフィードバック情報を送信しないように第一の装置に指示する場合、第一の装置は第一のデータのＡＣＫ／ＮＡＣＫフィードバック情報を送信せず、該第一の指示情報が、第二の装置へ第一のデータのＡＣＫ／ＮＡＣＫフィードバック情報を送信するように第一の装置に指示する場合、第一の装置は第二の装置へ第一のデータのＡＣＫ／ＮＡＣＫフィードバック情報を送信し、第一の装置は第一の指示情報に基づいて第二の装置へ第一のデータのＡＣＫ／ＮＡＣＫフィードバック情報を送信することができ、第一の装置が常に第二の装置へ第一のデータのＡＣＫ／ＮＡＣＫフィードバック情報を送信することを回避し、このようにしてシグナリングオーバーヘッドを節約し、リソースの浪費を回避し、リソース利用率を向上させることができる。
【００５５】
理解すべきものとして、第一の指示情報はプロトコルによって規定された特殊なビットであってもよく、例えば、該ビットの値が１であると、第一の装置が第二の装置へ第一のデータのＡＣＫ／ＮＡＣＫフィードバック情報を送信することを指示することに用いられ、該ビットの値が０であると、第一の装置が第二の装置へ第一のデータのＡＣＫ／ＮＡＣＫフィードバック情報を送信しないことを指示することに用いられ、具体的にどの方式で指示するか否かは、ネットワークによって設定されたものであってもよいし、プロトコルによって規定された指示方式であってもよく、本出願の実施例はこれに限定されない。
【００５６】
理解すべきものとして、第一の指示情報は第二の装置によって第一の装置に直接送信されてもよく、第一の指示情報は他のメッセージに含まれて第一の装置に送信されてもよく、第一の指示情報は制御チャネルを介して送信されてもよいし、データチャネルを介して送信されてもよく、又は第一の指示情報もユーザプレーンデータに搬送されて送信されてもよいし、制御プレーンデータに搬送されて送信されてもよく、本出願の実施例はこれに限定されない。
【００５７】
一つの選択可能な実施例として、Ｓ２１０は、前記第二の装置が前記第一のデータをカプセル化するためのメッセージ又は前記第一のデータのスケジューリング情報によって前記第一の装置へ前記第一の指示情報を送信することを含み、Ｓ１１０は、前記第一の装置が前記第二の装置からの、前記第一のデータをカプセル化するためのメッセージ又は前記第一のデータのスケジューリング情報に含まれる前記第一の指示情報を受信することを含む。
【００５８】
具体的には、第一の指示情報が第一のデータをカプセル化するためのメッセージ又は第一のデータのスケジューリング情報に含まれる場合、該第一の指示情報は第一のデータのＡＣＫ／ＮＡＣＫフィードバック情報をフィードバックするか否かを指示することに用いられ、即ち各データにそれ自体の第一の指示情報が含まれ、該第一のデータのＡＣＫ／ＮＡＣＫフィードバック情報をフィードバックする必要があるか否かを指示し、このようにして、第一の装置は第一の指示情報に基づいて第二の装置へ第一のデータのＡＣＫ／ＮＡＣＫフィードバック情報をフィードバックすることができ、これにより、シグナリングオーバーヘッドを節約し、リソース利用率を向上させることができる。
【００５９】
一例として、第二の装置は第一の装置へ５０個のデータパケットを送信し、５０個のデータパケットの各データパケットにそれ自身の第一の指示情報が含まれ、それでＡＣＫ／ＮＡＣＫフィードバック情報をフィードバックするか否かを自身に指示することが可能であり、該第一の装置が該５０個のデータパケットを受信した場合、該５０個のデータパケットにおける各データパケットの第一の指示情報に基づき、各データパケットのＡＣＫ／ＮＡＣＫフィードバック情報をフィードバックするか否かを確定する。
【００６０】
さらに、第一の装置が端末装置であり、第二の装置がネットワーク装置である場合、第二の装置は第一のデータをカプセル化するためのメッセージに第一の指示情報を含ませて第一の装置に送信することができ、第二の装置は第一のデータのダウンリンク制御情報（Ｄｏｗｎｌｉｎｋ  Ｃｏｎｔｒｏｌ  Ｉｎｆｏｒｍａｔｉｏｎ：「ＤＣＩ」と略称）をスケジューリングすることによって、該第一の指示情報を送信することもでき、本出願の実施例はこれに限定されない。
【００６１】
一つの選択可能な実施例として、Ｓ２１０は、前記第二の装置が第二のデータをカプセル化するためのメッセージ又は前記第二のデータのスケジューリング情報によって前記第一の装置へ前記第一の指示情報を送信することを含む。Ｓ１１０は、前記第一の装置が前記第二の装置からの、第二のデータをカプセル化するためのメッセージ又は前記第二のデータのスケジューリング情報に含まれる前記第一の指示情報を受信することを含む。
【００６２】
理解すべきものとして、第二のデータのスケジューリング情報は第二のデータのＤＣＩであってもよい。
【００６３】
具体的には、第一の指示情報が第二のデータをカプセル化すためのメッセージ又は第二のデータのスケジューリング情報に含まれる場合、該第一の指示情報は第一のデータのＡＣＫ／ＮＡＣＫフィードバック情報をフィードバックするか否かを指示することに用いられ、即ち第二のデータに第一のデータの第一の指示情報が含まれ、該第一のデータのＡＣＫ／ＮＡＣＫフィードバック情報をフィードバックする必要があるか否かを指示し、このようにして、第一の装置は第一の指示情報に基づいて第二の装置へ第一のデータのＡＣＫ／ＮＡＣＫフィードバック情報をフィードバックすることができ、これにより、シグナリングオーバーヘッドを節約し、リソース利用率を向上させることができる。
【００６４】
さらに、該第一のデータが複数のデータパケット又は複数の伝送ブロックを含む場合、第二のデータに複数のデータパケット又は複数のデータに対応するＡＣＫ／ＮＡＣＫフィードバックの指示情報が含まれ、複数のデータパケット又は複数の伝送ブロックのフィードバック指示情報は第二のデータに含まれる第一の指示情報によって指示されてもよく、これによりすべてのデータパケット又は伝送ブロックに対するＡＣＫ／ＮＡＣＫフィードバック情報を送信することによって生じるリソースオーバーヘッドを回避し、リソース利用率をさらに向上させることができる。
【００６５】
一例として、第二の装置が第一の装置へ９つのデータパケットを送信する場合、該９つのデータパケットにおける各データパケットに第一の指示情報を含ませてもよく、各データパケットに含まれる第一の指示情報が該データパケットに最も近い８つのデータパケットのＡＣＫ／ＮＡＣＫフィードバック情報をフィードバックするか否かを指示することに用いられ、１番目のデータパケット〜８番目のデータパケットの第一の指示情報がＡＣＫ／ＮＡＣＫフィードバック情報を送信しないように指示し、９番目のデータパケットの第一の指示情報がＡＣＫ／ＮＡＣＫフィードバック情報を送信するように指示する場合、即ち先頭の８つのデータパケットのＡＣＫ／ＮＡＣＫフィードバック情報を送信し、先頭の８つのデータパケットが正確に復号される場合、第一の装置は第二の装置へＡＣＫ情報を送信し、先頭の８つのデータパケットが正確に復号されず、即ち少なくとも一つ誤って復号される場合、第一の装置は第二の装置へＮＡＣＫ情報を送信し、このようにして、８つのデータパケットのＡＣＫ／ＮＡＣＫフィードバック情報は第二の装置に一回フィードバックされてもよく、ＡＣＫ／ＮＡＣＫフィードバック情報を８回フィードバックすることを回避し、さらにシグナリングオーバーヘッドを節約し、リソース使用率を向上させる。
【００６６】
他の例として、第二の装置が第一の装置へ９つのデータパケットを送信する場合、該９つのデータパケットに第一の指示情報を含ませなくてもよく、第二の装置が第一の装置へ第一の指示情報を送信し、該第一の指示情報が該９つのデータパケットのＡＣＫ／ＮＡＣＫフィードバック情報をフィードバックするように指示すると、プロトコルによって規定され又はネットワークによって設定され、９つのデータパケットが正確に復号される場合、第一の装置は第二の装置へＡＣＫ情報を送信し、９つのデータパケットが正確に復号されず、即ち少なくとも一つ誤って復号される場合、第一の装置は第二の装置へＮＡＣＫ情報を送信し、このようにして、９つのデータパケットのＡＣＫ／ＮＡＣＫフィードバック情報は第二の装置に一回フィードバックされてもよく、ＡＣＫ／ＮＡＣＫフィードバック情報を９回フィードバックすることを回避し、さらにシグナリングオーバーヘッドを節約し、リソース使用率を向上させる。
【００６７】
一つの選択可能な実施例として、前記第一のデータは前記第一の装置が第一の指示情報を受信する前又はその後に受信したＮ個のデータであり、Ｎが１以上であり、前記第一のデータは前記第一の装置がＡＣＫ／ＮＡＣＫフィードバック情報を直近に送信した後に受信した少なくとも一つのデータであり、又は前記第一のデータは前記第一の装置がフィードバック指示情報を直近に受信した後に受信した少なくとも一つのデータであり、前記フィードバック指示情報が、前記第二の装置へ第三のデータのＡＣＫ／ＮＡＣＫフィードバック情報を送信するように前記第一の装置に指示することに用いられる。
【００６８】
選択可能に、前記第一のデータは前記第一の装置がＡＣＫ／ＮＡＣＫフィードバック情報を前回送信してから前記第一のデータのＡＣＫ／ＮＡＣＫフィードバック情報を送信するまでの間で受信した少なくとも一つのデータであり、又は前記第一のデータは前記第一の装置がフィードバック指示情報を直近に受信してから前記第一の指示情報を受信するまでの間で受信した少なくとも一つのデータであり、前記フィードバック指示情報が、前記第二の装置へ第三のデータのＡＣＫ／ＮＡＣＫフィードバック情報を送信するように前記第一の装置に指示することに用いられる。
【００６９】
具体的には、該第一のデータは第一の装置が第一の指示情報を直近に受信した後に受信したＮ個のデータであってもよく、例えば該第一のデータは第一の装置がその前又はその後に受信したＮ個のデータであり、このようにして、第一の指示情報はＮ個のデータのＡＣＫ／ＮＡＣＫフィードバック情報を送信するか否かを指示することができ、第一のデータは第一の装置がＡＣＫ／ＮＡＣＫフィードバック情報を前回、即ち直近に送信した後に受信した一つ又は複数のデータであってもよく、第一のデータは第一の装置がフィードバック情報を前回、即ち直近に受信した後に受信した一つ又は複数のデータであってもよく、当然、第一のデータは第一の装置が今回送信する必要があるＡＣＫ／ＮＡＣＫフィードバック情報と前回送信されたＡＣＫ／ＮＡＣＫフィードバック情報の間の少なくとも一つのデータであってもよく、又は第一のデータは今回受信された第一の指示情報と直近に受信されたフィードバック指示情報の間の少なくとも一つのデータであってもよく、該第三のデータは該フィードバック指示情報に指示される、ＡＣＫ／ＮＡＣＫフィードバック情報を送信する必要があるか否かのデータであってもよい。
【００７０】
さらに、該第一のデータは該第一の装置が第一の指示情報を受信する前又はその後に受信したＮ個のデータではなくてもよく、例えば、第一のデータの復号が一定の時間が必要であり、第一の装置によって受信された該第一のデータの復号開始時間と復号終了時間の前の第四のデータが第一のデータに含まれなくてもよく、即ち第一のデータを受信してから第一の指示情報を受信するまでの間が第四のデータに隔てられ、即ち第一の装置が第一の指示情報を受信し、該第一の指示情報が第一のデータのＡＣＫ／ＮＡＣＫフィードバック情報をフィードバックすることを指示する場合、第一の装置は第一のデータのＡＣＫ／ＮＡＣＫフィードバック情報をフィードバックすることができ、このようにして、第一の指示情報を受信する時に、第一のデータの復号を待って引き起こされる遅延を回避することができる。
【００７１】
一例として、第二の装置が第一の装置へ２０個のデータパケットを送信する場合、第二の装置は第一の装置へ第一の指示情報を２０番目のデータパケット又は２０番目のデータパケットのスケジューリング情報によって送信することができ、データパケットの復号が一定の時間が必要であり、例えば１８個のデータパケットを復号するのに必要な時間がほぼ２つのデータパケットを送信する時間であり、該第第一の指示情報で指示されるのが先頭の１８個のデータパケットのＡＣＫ／ＮＡＣＫフィードバック情報をフードバックするとプロトコルにおいて規定され又はネットワークによって設定される場合、２０番目のデータパケットに含まれる第一の指示情報又は２０番目のデータパケットのスケジューリング情報に含まれる第一の指示情報を受信する時に、先頭の１８個のデータパケットの復号がちょうど完了し、１８個のデータパケットが正確に復号される場合、第一の装置は第二の装置へＡＣＫ情報を送信し、１８個のデータパケットが正確に復号されず、即ち少なくとも一つ誤って復号される場合、第一の装置は第二の装置へＮＡＣＫ情報を送信し、このようにして、第一の指示情報を受信してからＡＣＫ／ＮＡＣＫフィードバック情報を送信するまでの時間間隔がなくてもよく、データ伝送の時間をさらに短縮させ、システム性能を向上させることができる。
【００７２】
理解すべきものとして、第一のデータはネットワークプロトコルによって規定されたデータ、又はネットワークによって設定されてもよいデータであってもよく、本出願の実施例はこれに限定されない。
【００７３】
一つの選択可能な実施例として、前記第一のデータは前記第二の装置が前記第一の指示情報を送信する前又はその後に送信したＮ個のデータであり、Ｎが１以上であり、前記第一のデータは前記第二の装置がＡＣＫ／ＮＡＣＫフィードバック情報を直近に受信した後に送信した少なくとも一つのデータであり、又は前記第一のデータは前記第二の装置がフィードバック指示情報を直近に送信した後に送信した少なくとも一つのデータであり、前記フィードバック指示情報が、前記第二の装置へ第三のデータのＡＣＫ／ＮＡＣＫフィードバック情報を送信するように前記第一の装置に指示することに用いられる。
【００７４】
一つの選択可能な実施例として、Ｓ１２０の前に、前記方法１００はさらに前記第一の装置が前記第二のデータ又は前記第二のデータのスケジューリング情報に占有されたリソースに基づき、ＡＣＫ／ＮＡＣＫフィードバック情報を送信するためのリソースを確定することを含み、ここで、前記Ｓ１２０は、前記第一の装置が前記ＡＣＫ／ＮＡＣＫフィードバック情報のリソースで前記第二の装置へ前記第一のデータのＡＣＫ／ＮＡＣＫフィードバック情報を送信することを含む。前記Ｓ２２０は、前記第二の装置が、前記第一の装置が前記第二のデータ又は前記第二のデータのスケジューリング情報に占有されたリソースに基づいて確定した、ＡＣＫ／ＮＡＣＫフィードバック情報を送信するためのリソースで送信された第一のデータのＡＣＫ／ＮＡＣＫフィードバック情報を受信することを含む。
【００７５】
具体的には、第二のデータ又は第二のデータのスケジューリング情報に占有されたリソースに基づき、第一のデータを送信するためのＡＣＫ／ＮＡＣＫフィードバック情報を送信するためのリソースを確定することができる。例えば、前記第一のデータのＡＣＫ／ＮＡＣＫフィードバック情報を伝送するためのサブフレームは前記第二のデータ又は第二のデータのスケジューリング情報に占有されたサブフレームに基づいて確定されてもよい。例えば、前記第一のデータのＡＣＫ／ＮＡＣＫフィードバック情報を伝送するアップリンク制御チャネルリソースは第二のデータのスケジューリング情報に占有された第一の制御チャネルユニット（Ｃｏｎｔｒｏｌ  Ｃｈａｎｎｅｌ  Ｅｌｅｍｅｎｔ：「ＣＣＥ」と略称）のインデックスに基づいて確定されてもよく、又は第一のデータのＡＣＫ／ＮＡＣＫフィードバック情報のアップリンク制御チャネルリソースは第一のデータに占有された１番目の物理リソースブロック（Ｐｈｙｓｉｃａｌ  Ｒｅｓｏｕｒｃｅ  Ｂｌｏｃｋ：「ＰＲＢ」と略称）に基づいて確定されてもよい。ここで、前記アップリンク制御チャネルは物理アップリンクリンク制御チャネル（Ｐｈｙｓｉｃａｌ  Ｕｐｌｉｎｋ  Ｃｏｎｔｒｏｌ  Ｃｈａｎｎｅｌ：「ＰＵＣＣＨ」と略称）であってもよく、前記第二のデータのスケジューリング情報は前記第二のデータをスケジューリングするためのＤＣＩであってもよい。
【００７６】
一つの選択可能な実施例として、前記第一の指示情報はさらに前記第一のデータのＡＣＫ／ＮＡＣＫフィードバック情報を送信するためのリソース情報を含み、ここで、Ｓ１２０は、前記第一の装置が前記第一のデータのＡＣＫ／ＮＡＣＫフィードバック情報を送信するためのリソース情報に基づき、前記ＡＣＫ／ＮＡＣＫフィードバック情報を送信するためのリソースを確定することと、前記第一の装置が前記ＡＣＫ／ＮＡＣＫフィードバック情報のリソースで前記第二の装置へＡＣＫ／ＮＡＣＫフィードバック情報を送信することとを含む。Ｓ２２０は前記第二の装置が、前記第一の装置が前記第一のデータのＡＣＫ／ＮＡＣＫフィードバック情報のリソース情報に基づいて送信した前記第一のデータのＡＣＫ／ＮＡＣＫフィードバック情報を受信することを含む。
【００７７】
具体的には、前記第一のデータのＡＣＫ／ＮＡＣＫフィードバック情報を送信するためのリソースは第二のデータ又は第二のデータのスケジューリング情報に占有されたリソースに基づいて確定されることができるだけでなく、第一の指示情報は第一のデータのＡＣＫ／ＮＡＣＫフィードバック情報を送信するためのリソース情報を含むこともでき、例えば該リソース情報はリソースインデックス又はリソースオフセット量などであってもよく、このようにして、第一の装置が該第一の指示情報を受信した場合、該ＡＣＫ／ＮＡＣＫフィードバック情報のリソース情報に基づき、第一のデータのＡＣＫ／ＮＡＣＫフィードバック情報を送信するためのリソースを確定することができる。例えば、前記リソースは前記ＡＣＫ／ＮＡＣＫフィードバック情報を伝送するためのアップリンク制御チャネルリソースであってもよい。典型的には、前記アップリンク制御チャネルはＰＵＣＣＨであってもよい。
【００７８】
一つの選択可能な実施例として、前記第一の指示情報はハイブリッド自動再送リクエスト（ＨＡＲＱ）タイミング情報を含み、前記ＨＡＲＱタイミング情報が、前記第一の装置が前記第一の指示情報を受信する時間と前記第一の装置が前記ＡＣＫ／ＮＡＣＫフィードバック情報を送信する時間の間の時間間隔情報を示すことに用いられ、ここで、Ｓ２１０は、前記第一の装置が前記ＨＡＲＱタイミング情報に基づいて前記第二の装置へ前記第一のデータのＡＣＫ／ＮＡＣＫフィードバック情報を送信することを含み、Ｓ２２０は、前記第二の装置が、前記第一の装置が前記ＨＡＲＱタイミング情報に基づいて送信した前記第一のデータのＡＣＫ／ＮＡＣＫフィードバック情報を受信することを含む。
【００７９】
具体的には、第一の指示情報に含まれるＨＡＲＱタイミング情報によって第一のデータのＡＣＫ／ＮＡＣＫフィードバック情報を送信する時間を示し、例えば該ＨＡＲＱのタイミング情報が前記第一の指示情報を受信する伝送時間単位と前記第一の装置が前記ＡＣＫ／ＮＡＣＫフィードバック情報を送信する伝送時間単位の間のオフセット量であってもよい。前記伝送時間単位は信号を送信するための基本時間領域単位であり、例えば伝送時間単位は無線サブフレーム、サブフレーム、伝送時間間隔（Ｔｒａｎｓｍｉｓｓｉｏｎ  Ｔｉｍｅ  Ｉｎｔｅｒｖａｌ：「ＴＴＩ」と略称）、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）シンボル、又は新たに定義された５Ｇの他の時間領域単位であってもよく、このようにして第一の装置は確定された伝送時間単位で第一のデータのＡＣＫ／ＮＡＣＫフィードバック情報を伝送することができる。
【００８０】
一つの選択可能な実施例では、Ｓ１２０は、前記第一の装置が前記第一のデータに含まれる全てのデータブロックを正確に復号する場合、前記第一の装置が前記第二の装置へ前記第一のデータの確認（ＡＣＫ）情報を送信することと、前記第一の装置が前記第一のデータに含まれる少なくとも一つのデータブロックを誤って復号する場合、前記第一の装置が前記第二の装置へ前記第一のデータの非確認（ＮＡＣＫ）情報を送信することとを含む。Ｓ２２０は、前記第一の装置が前記第一のデータに含まれる全てのデータブロックを正確に復号する場合、前記第二の装置が前記第一の装置から送信された前記第一のデータの確認（ＡＣＫ）情報を受信することと、前記第一の装置が前記第一のデータに含まれる少なくとも一つのデータブロックを誤って復号する場合、前記第二の装置が前記第一の装置から送信された前記第一のデータの非確認（ＮＡＣＫ）情報を受信することとを含む。
【００８１】
具体的には、第一のデータが一つ又は複数のデータブロック又はデータパケットを含む場合、第一の装置が該第一のデータに含まれる全ての一つ又は複数のデータブロックを正確に復号する場合、第一の装置は第二の装置へＡＣＫ情報を送信し、第一の装置が該第一のデータに含まれる一つのデータブロックを誤って復号し、又は第一の装置が該第一のデータに含まれる全てのデータブロックの少なくとも部分のデータブロックを誤って復号する場合、第一の装置は第二の装置へＮＡＣＫ情報を送信する。
【００８２】
理解すべきものとして、第一の装置が第二の装置へＡＣＫ／ＮＡＣＫ情報を送信することは、複数のデータパケットが正確に復号されると、複数のデータパケットのＡＣＫ情報をフィードバックし、複数のデータパケットのうちの一つが誤って復号されると、複数のデータパケットのＮＡＣＫ情報を返信することであってもよく、又は、復号率を予め設定することもでき、復号率は正確に復号されたデータパケットの個数と第一のデータに含まれる全てのデータブロックの個数との比であってもよく、例えば復号率が設定された閾値より大きい場合、第一の装置は第二の装置へＡＣＫ情報を送信し、復号率が設定された閾値以下である場合、第一の装置は第二の装置へＮＡＣＫ情報を送信し、本出願の実施例はこれに限定されない。
【００８３】
選択可能に、第一の装置が端末装置であり、第二の装置がネットワーク装置である場合、一つの好ましい例として、以下のステップでデータを伝送することができる。
【００８４】
ステップ１において、ネットワーク装置は端末装置へＤＣＩ  １、ＤＣＩ  ２、…ＤＣＩ  Ｎ、及びこれらのＤＣＩのそれぞれにスケジューリングされるデータ伝送ブロック１…データ伝送ブロックＮを送信する。ここで、各ＤＣＩに１ビットのＡＣＫ／ＮＡＣＫフィードバック指示情報が含まれ、ＡＣＫ／ＮＡＣＫをフィードバックする必要があるか否かを端末装置に指示することに用いられる。同時に、各ＤＣＩに、各ＤＣＩと送信されたＡＣＫ／ＮＡＣＫフィードバックの間のサブフレームオフセット量を示すためのＨＡＲＱタイミング情報が含まれてもよい。
【００８５】
理解すべきものとして、ステップ１ではサブフレームオフセット量に限定されず、フレームオフセット量、ＯＦＤＭオフセット量、及び将来の伝送時間単位などであってもよく、ＨＡＲＱタイミング情報はオフセット量に限定されず、時間インデックス情報などであってもよい。
【００８６】
ステップ２において、端末装置はネットワーク装置から送信されたＤＣＩ  １、ＤＣＩ  ２、…、ＤＣＩ  Ｎ−１及びこれらのＤＣＩにスケジューリングされるデータ伝送ブロックを検出し、そして各ＤＣＩにおけるＡＣＫ／ＮＡＣＫフィードバック指示情報に基づき、ＡＣＫ／ＮＡＣＫをフィードバックする必要がないことを確定する。
【００８７】
ステップ３において、端末装置はネットワーク装置から送信されたＤＣＩ  Ｎ及び該ＤＣＩにスケジューリングされるデータ伝送ブロックを検出し、そしてＤＣＩ  ＮにおけるＡＣＫ／ＮＡＣＫフィードバック指示情報に基づき、ＡＣＫ／ＮＡＣＫをフィードバックする必要があることを確定する。
【００８８】
選択可能に、ステップ３において、ＤＣＩ  ＮのＣＣＥインデックスに基づき、ＡＣＫ／ＮＡＣＫをフィードバックするためのリソースを確定することができ、又はデータブロックＮの１番目のＰＲＢのインデックスに基づき、ＡＣＫ／ＮＡＣＫをフィードバックするためのリソースを確定することができることなどがあり、本出願の実施例はこれに限定されない。
【００８９】
ステップ４において、ＤＣＩ  ＮにおけるＡＣＫ／ＮＡＣＫフィードバック指示情報がＨＡＲＱタイミング情報を含むことができ、端末装置は前記ＤＣＩ  ＮにおけるＨＡＲＱタイミング情報に基づき、前記ＤＣＩ  Ｎを伝送するためのサブフレームと前記ＡＣＫ／ＮＡＣＫを伝送するためのサブフレームの間のオフセットを確定し、それによって前記ＡＣＫ／ＮＡＣＫをフィードバックするためのサブフレームを確定する。
【００９０】
ステップ５において、端末装置はデータ伝送ブロック１．．．データ伝送ブロックＮの検出結果に応じて、確定されたサブフレームでネットワーク装置へＡＣＫ／ＮＡＣＫをフィードバックする。ここで、全てのＮ個のデータ伝送ブロックが正確に検出された場合、ＡＣＫをフィードバックし、そうでない場合、ＮＡＣＫをフィードバックする。
【００９１】
選択可能に、ＤＣＩ  ＮにおけるＡＣＫ／ＮＡＣＫフィードバック指示情報がＡＣＫ／ＮＡＣＫを送信するためのリソース情報を含むことができ、端末装置はＡＣＫ／ＮＡＣＫフィードバック指示情報に含まれてもよい、ＡＣＫ／ＮＡＣＫを送信するためのリソース情報に基づいてＡＣＫ／ＮＡＣＫを送信することができる。
【００９２】
選択可能に、第一の装置が端末装置であり、第二の装置がネットワーク装置である場合、他の好ましい例として、以下のステップでデータを伝送することができる。
【００９３】
ステップ１において、ネットワーク装置は端末装置へＤＣＩ、及びＤＣＩにスケジューリングされるデータ伝送ブロックを送信する。ここで、ＤＣＩに、該データ伝送ブロックのＡＣＫ／ＮＡＣＫをフィードバックする必要があるか否かを端末装置に指示するための１ビットのＡＣＫ／ＮＡＣＫフィードバック指示情報が含まれる。同時に、ＤＣＩにもＰＵＣＣＨリソース指示情報が含まれ、該ＰＵＣＣＨリソース指示情報が前記ＡＣＫ／ＮＡＣＫのためのＰＵＣＣＨリソースのインデックを示す。
【００９４】
ステップ２において、端末装置はネットワーク装置から送信されたＤＣＩ及びＤＣＩにスケジューリングされるデータ伝送ブロックを検出し、そしてＤＣＩにおけるＡＣＫ／ＮＡＣＫフィードバック指示情報に基づき、ＡＣＫ／ＮＡＣＫをフィードバックする必要があることを確定する。
【００９５】
ステップ３において、端末装置はＤＣＩにおけるＰＵＣＣＨリソース指示情報に基づき、ＡＣＫ／ＮＡＣＫをフィードバックするためのＰＵＣＣＨリソースを確定する。
【００９６】
選択可能に、ＤＣＩにおけるＡＣＫ／ＮＡＣＫフィードバック指示情報がＡＣＫ／ＮＡＣＫを送信するためのリソース情報を含むことができ、端末装置はＡＣＫ／ＮＡＣＫフィードバック指示情報に含まれてもよい、ＡＣＫ／ＮＡＣＫを送信するためのリソース情報に基づいてＡＣＫ／ＮＡＣＫを送信することができる。
【００９７】
ステップ４において、端末装置は前記データ伝送ブロックの検出結果に基づき、前記ＰＵＣＣＨリソースでネットワーク装置へＡＣＫ／ＮＡＣＫをフィードバックする。ここで、前記データ伝送ブロックが正確に検出された場合、ＡＣＫをフィードバックし、そうでない場合、ＮＡＣＫをフィードバックする。
【００９８】
図３は本出願の実施例によるデータ伝送装置３００の概略図である。装置３００は受信モジュール３１０と送信モジュール３２０を備える。
【００９９】
受信モジュール３１０は、第二の装置から送信された第一の指示情報を受信するように構成され、前記第一の指示情報が、前記第二の装置へ第一のデータのＡＣＫ／ＮＡＣＫフィードバック情報を送信するか否かを前記装置に指示することに用いられる。
【０１００】
送信モジュール３２０は、前記第一の指示情報が、前記装置が前記第二の装置へ第一のデータのＡＣＫ／ＮＡＣＫフィードバック情報を送信することを指示することに用いられる場合、前記第二の装置へ前記第一のデータのＡＣＫ／ＮＡＣＫフィードバック情報を送信するように構成される。
【０１０１】
一つの選択可能な実施例として、前記受信モジュール３１０は具体的に前記第二の装置からの、前記第一のデータをカプセル化するためのメッセージ又は前記第一のデータのスケジューリング情報に含まれる前記第一の指示情報を受信するように構成される。
【０１０２】
一つの選択可能な実施例として、前記受信モジュール３１０は具体的に前記第二の装置からの、第二のデータをカプセル化するためのメッセージ又は前記第二のデータのスケジューリング情報に含まれる前記第一の指示情報を受信するように構成される。
【０１０３】
一つの選択可能な実施例として、前記第一のデータは前記装置３００が第一の指示情報を受信する前又はその後に受信したＮ個のデータであり、Ｎが１以上であり、又は
前記第一のデータは前記装置３００がＡＣＫ／ＮＡＣＫフィードバック情報を直近に送信した後に受信した少なくとも一つのデータであり、又は
前記第一のデータは前記装置３００がフィードバック指示情報を直近に受信した後に受信した少なくとも一つのデータであり、前記フィードバック指示情報が、前記第二の装置へ第三のデータのＡＣＫ／ＮＡＣＫフィードバック情報を送信するように前記装置３００に指示することに用いられる。
【０１０４】
一つの選択可能な実施例として、前記装置３００はさらに、前記第二の装置へ前記第一のデータのＡＣＫ／ＮＡＣＫフィードバック情報を送信する前に、前記第二のデータ又は前記第二のデータのスケジューリング情報に占有されたリソースに基づき、ＡＣＫ／ＮＡＣＫフィードバック情報を送信するためのリソースを確定するように構成される第一の確定モジュールを備え、前記送信モジュール３２０は具体的に前記ＡＣＫ／ＮＡＣＫフィードバック情報のリソースで前記第二の装置へ前記第一のデータのＡＣＫ／ＮＡＣＫフィードバック情報を送信するように構成される。
【０１０５】
一つの選択可能な実施例として、前記第一の指示情報はさらに前記第一のデータのＡＣＫ／ＮＡＣＫフィードバック情報を送信するためのリソース情報を含み、前記装置３００はさらに前記第一のデータのＡＣＫ／ＮＡＣＫフィードバック情報を送信するためのリソース情報に基づき、前記ＡＣＫ／ＮＡＣＫフィードバック情報を送信するためのリソースを確定するように構成される第二の確定モジュールを備え、前記送信モジュール３２０は具体的に前記ＡＣＫ／ＮＡＣＫフィードバック情報のリソースで前記第二の装置へＡＣＫ／ＮＡＣＫフィードバック情報を送信するように構成される。
【０１０６】
一つの選択可能な実施例として、前記第一の指示情報はハイブリッド自動再送リクエスト（ＨＡＲＱ）タイミング情報を含み、前記ＨＡＲＱタイミング情報が、前記装置が前記第一の指示情報を受信する時間と前記装置３００が前記ＡＣＫ／ＮＡＣＫフィードバック情報を送信する時間の間の時間間隔情報を示すことに用いられ、前記送信モジュール３２０は具体的に前記ＨＡＲＱタイミング情報に基づいて前記第二の装置へ前記第一のデータのＡＣＫ／ＮＡＣＫフィードバック情報を送信することを含む。
【０１０７】
一つの選択可能な実施例として、前記送信モジュール３２０は具体的に前記装置３００が前記第一のデータに含まれる全てのデータブロックを正確に復号する場合、前記第二の装置へ前記第一のデータの確認（ＡＣＫ）情報を送信し、前記装置が前記第一のデータに含まれる少なくとも一つのデータブロックを誤って復号する場合、前記第二の装置へ前記第一のデータの非確認（ＮＡＣＫ）情報を送信するように構成される。
【０１０８】
理解すべきものとして、ここでの装置３００は機能モジュールの形態で具現化される。ここでの用語「モジュール」は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置３００が具体的に上記実施例におけるネットワーク装置であってもよく、装置３００が上記方法の実施例における、ネットワーク装置に対応する各プロセス及び／又はステップを実行することに用いられてもよいことを理解でき、繰り返しを回避するために、ここで説明を省略する。
【０１０９】
図４は本出願の実施例によるデータ伝送装置４００の概略図である。装置４００は送信モジュール４１０と受信モジュール４２０を備える。
【０１１０】
送信モジュール４１０は第一の装置へ第一の指示情報を送信するように構成され、前記第一の指示情報が、前記装置へ第一のデータのＡＣＫ／ＮＡＣＫフィードバック情報を送信するか否かを前記第一の装置に指示することに用いられる。
【０１１１】
受信モジュール４２０は前記第一の指示情報が、前記第一の装置が前記装置へ前記第一のデータのＡＣＫ／ＮＡＣＫフィードバック情報を送信することを指示することに用いられる場合、前記第一の装置から送信された前記第一のデータのＡＣＫ／ＮＡＣＫフィードバック情報を受信するように構成される。
【０１１２】
一つの選択可能な実施例として、前記送信モジュール４１０は具体的に前記第一のデータをカプセル化するためのメッセージ又は前記第一のデータのスケジューリング情報によって前記第一の装置へ前記第一の指示情報を送信するように構成される。
【０１１３】
一つの選択可能な実施例として、前記送信モジュール４１０は具体的に第二のデータをカプセル化するためのメッセージ又は前記第二のデータのスケジューリング情報によって前記第一の装置へ前記第一の指示情報を送信するように構成される。
【０１１４】
一つの選択可能な実施例として、前記第一のデータは前記装置４００が前記第二のデータを送信する前又はその後に送信したＮ個のデータであり、Ｎが１以上であり、又は
前記第一のデータは前記装置４００がＡＣＫ／ＮＡＣＫフィードバック情報を直近に受信した後に送信した少なくとも一つのデータであり、又は
前記第一のデータは前記装置４００がフィードバック指示情報を直近に送信した後に送信した少なくとも一つのデータであり、前記フィードバック指示情報が、前記第一の装置が前記装置４００へ第三のデータのＡＣＫ／ＮＡＣＫフィードバック情報を送信することを指示することに用いられる。
【０１１５】
一つの選択可能な実施例として、前記受信モジュール４１０は具体的に前記第一の装置が前記第二のデータ又は前記第二のデータのスケジューリング情報に占有されたリソースに基づいて確定した、ＡＣＫ／ＮＡＣＫフィードバック情報を送信するためのリソースで送信された前記第一のデータのＡＣＫ／ＮＡＣＫフィードバック情報を受信するように構成される。
【０１１６】
一つの選択可能な実施例として、前記第一の指示情報はさらに前記第一のデータのＡＣＫ／ＮＡＣＫフィードバック情報を送信するためのリソース情報を含み、前記受信モジュール４１０は具体的に前記第一の装置が前記第一のデータのＡＣＫ／ＮＡＣＫフィードバック情報のリソース情報に基づいて送信した前記第一のデータのＡＣＫ／ＮＡＣＫフィードバック情報を受信するように構成される。
【０１１７】
一つの選択可能な実施例として、前記第一の指示情報はハイブリッド自動再送リクエスト（ＨＡＲＱ）タイミング情報を含み、前記ＨＡＲＱタイミング情報が、前記第一の装置が前記第一の指示情報を受信する時間と前記第一の装置が前記ＡＣＫ／ＮＡＣＫフィードバック情報を送信する時間の間の時間間隔情報を示すことに用いられ、前記受信モジュール４１０は具体的に前記第一の装置が前記ＨＡＲＱタイミング情報に基づいて送信した前記第一のデータのＡＣＫ／ＮＡＣＫフィードバック情報を受信するように構成される。
【０１１８】
一つの選択可能な実施例として、前記受信モジュール４１０は具体的に前記第一の装置が前記第一のデータに含まれる全てのデータブロックを正確に復号する場合、前記装置４００が前記第一の装置から送信された前記第一のデータの確認（ＡＣＫ）情報を受信し、前記第一の装置が前記第一のデータに含まれる少なくとも一つのデータブロックを誤って復号する場合、前記装置４００が前記第一の装置から送信された前記第一のデータの非確認（ＮＡＣＫ）情報を受信するように構成される。
【０１１９】
理解すべきものとして、ここでの装置４００は機能モジュールの形態で具現化される。ここでの用語「モジュール」は特定用途向け集積回路ＡＳＩＣ、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置４００が具体的に上記実施例におけるネットワーク装置であってもよく、装置４００が上記方法の実施例における、ネットワーク装置に対応する各プロセス及び／又はステップを実行することに用いられてもよいことを理解でき、繰り返しを回避するために、ここで説明を省略する。
【０１２０】
図５は本出願の実施例によるデータ伝送システム５００の概略図である。該通信システム５００は装置３００と装置４００を備える。
【０１２１】
図６は本出願の実施例によるデータ伝送装置６００の概略図である。該装置６００は受信機６１０、プロセッサ６２０、送信機６３０、メモリ６４０とバスシステム６５０を備える。ここで、受信機６１０、プロセッサ６２０、送信機６３０とメモリ６４０がバスシステム６５０を介して接続され、該メモリ６４０が命令を記憶することに用いられ、該プロセッサ６２０が該メモリ６４０に記憶された命令を実行し、信号を受信するように該受信機６１０を制御し、命令を送信するように該送信機６３０を制御することに用いられる。
【０１２２】
ここで、受信機６１０は第二の装置から送信された第一の指示情報を受信するように構成され、前記第一の指示情報が、前記第二の装置へ第一のデータのＡＣＫ／ＮＡＣＫフィードバック情報を送信するか否かを前記装置６００に指示することに用いられ、送信機６３０は前記第一の指示情報が、前記装置が前記第二の装置へ第一のデータのＡＣＫ／ＮＡＣＫフィードバック情報を送信することを指示することに用いられる場合、前記第二の装置へ前記第一のデータのＡＣＫ／ＮＡＣＫフィードバック情報を送信するように構成される。
【０１２３】
一つの選択可能な実施例として、前記受信機６１０は具体的に前記第二の装置からの、前記第一のデータをカプセル化するためのメッセージ又は前記第一のデータのスケジューリング情報に含まれる前記第一の指示情報を受信するように構成される。
【０１２４】
一つの選択可能な実施例として、前記受信機６１０は具体的に前記第二の装置からの、第二のデータをカプセル化するためのメッセージ又は前記第二のデータのスケジューリング情報に含まれる前記第一の指示情報を受信するように構成される。
【０１２５】
一つの選択可能な実施例として、前記第一のデータは前記装置６００が第一の指示情報を受信する前又はその後に受信したＮ個のデータであり、Ｎが１以上であり、又は
前記第一のデータは前記装置６００がＡＣＫ／ＮＡＣＫフィードバック情報を直近に送信した後に受信した少なくとも一つのデータであり、又は
前記第一のデータは前記装置６００がフィードバック指示情報を直近に受信した後に受信した少なくとも一つのデータであり、前記フィードバック指示情報が、前記第二の装置へ第三のデータのＡＣＫ／ＮＡＣＫフィードバック情報を送信するように前記装置６００に指示することに用いられる。
【０１２６】
一つの選択可能な実施例として、前記プロセッサ６２０は前記第二の装置へ前記第一のデータのＡＣＫ／ＮＡＣＫフィードバック情報を送信する前に、前記第二のデータ又は前記第二のデータのスケジューリング情報に占有されたリソースに基づき、ＡＣＫ／ＮＡＣＫフィードバック情報を送信するためのリソースを確定するように構成され、前記送信機６３０は具体的に前記ＡＣＫ／ＮＡＣＫフィードバック情報のリソースで前記第二の装置へ前記第一のデータのＡＣＫ／ＮＡＣＫフィードバック情報を送信するように構成される。
【０１２７】
一つの選択可能な実施例として、前記第一の指示情報はさらに前記第一のデータのＡＣＫ／ＮＡＣＫフィードバック情報を送信するためのリソース情報を含み、前記プロセッサ６２０はさらに前記第一のデータのＡＣＫ／ＮＡＣＫフィードバック情報を送信するためのリソース情報に基づき、前記ＡＣＫ／ＮＡＣＫフィードバック情報を送信するためのリソースを確定するように構成され、前記送信機６３０は具体的に前記ＡＣＫ／ＮＡＣＫフィードバック情報のリソースで前記第二の装置へＡＣＫ／ＮＡＣＫフィードバック情報を送信するように構成される。
【０１２８】
一つの選択可能な実施例として、前記第一の指示情報はハイブリッド自動再送リクエスト（ＨＡＲＱ）タイミング情報を含み、前記ＨＡＲＱタイミング情報が、前記装置が前記第一の指示情報を受信する時間と前記装置が前記ＡＣＫ／ＮＡＣＫフィードバック情報を送信する時間の間の時間間隔情報を示すことに用いられ、前記送信機６３０は具体的に前記ＨＡＲＱタイミング情報に基づいて前記第二の装置へ前記第一のデータのＡＣＫ／ＮＡＣＫフィードバック情報を送信するように構成される。
【０１２９】
一つの選択可能な実施例として、前記送信機６３０は具体的に前記装置が前記第一のデータに含まれる全てのデータブロックを正確に復号する場合、前記第二の装置へ前記第一のデータの確認（ＡＣＫ）情報を送信し、前記装置が前記第一のデータに含まれる少なくとも一つのデータブロックを誤って復号する場合、前記第二の装置へ前記第一のデータの非確認（ＮＡＣＫ）情報を送信するように構成される。
【０１３０】
理解すべきものとして、装置６００は具体的に上記実施例における第一の装置であってもよく、そして上記方法の実施例における第一の装置に対応する各プロセス及び／又はプロセスを実行することに用いられてもよい。選択可能に、該メモリ６４０は読み取り専用メモリとランダムアクセスメモリを含み、プロセッサへ命令とデータを提供することができる。メモリの一部はさらに不揮発性ランダムアクセスメモリを含むことができる。例えば、メモリはさらに装置タイプの情報を記憶することができる。該プロセッサ６２０はメモリに記憶された命令を実行することに用いられてもよく、そして該プロセッサが該命令を実行する場合、該プロセッサは上記方法の実施例における第一の装置に対応する各ステップを実行することができる。
【０１３１】
図７は本出願の実施例による情報を伝送するための装置７００の概略図である。該装置７００は受信機７１０、プロセッサ７２０、送信機７３０、メモリ７４０とバスシステム７５０を備える。ここで、受信機７１０、プロセッサ７２０、送信機７３０とメモリ７４０がバスシステム７５０を介して接続され、該メモリ７４０が命令を記憶することに用いられ、該プロセッサ７２０が該メモリ７４０に記憶された命令を実行し、信号を受信するように該受信機７１０を制御し、命令を送信するように該送信機７３０を制御することに用いられる。
【０１３２】
ここで、送信機７３０は第一の装置へ第一の指示情報を送信するように構成され、前記第一の指示情報が、前記装置へ第一のデータのＡＣＫ／ＮＡＣＫフィードバック情報を送信するか否かを前記第一の装置に指示することに用いられる。
【０１３３】
受信機７１０は前記第一の指示情報が、前記第一の装置が前記装置へ前記第一のデータのＡＣＫ／ＮＡＣＫフィードバック情報を送信することを指示することに用いられる場合、前記第一の装置から送信された前記第一のデータのＡＣＫ／ＮＡＣＫフィードバック情報を受信するように構成される。
【０１３４】
一つの選択可能な実施例として、前記送信機７３０は具体的に前記第一のデータをカプセル化するためのメッセージ又は前記第一のデータのスケジューリング情報によって前記第一の装置へ前記第一の指示情報を送信するように構成される。
【０１３５】
一つの選択可能な実施例として、前記送信機７３０は具体的に第二のデータをカプセル化するためのメッセージ又は前記第二のデータのスケジューリング情報によって前記第一の装置へ前記第一の指示情報を送信するように構成される。
【０１３６】
一つの選択可能な実施例として、前記第一のデータは前記装置７００が前記第二のデータを送信する前又はその後に送信したＮ個のデータであり、Ｎが１以上であり、又は
前記第一のデータは前記装置７００がＡＣＫ／ＮＡＣＫフィードバック情報を直近に受信した後に送信した少なくとも一つのデータであり、又は
前記第一のデータは前記装置７００がフィードバック指示情報を直近に送信した後に送信した少なくとも一つのデータであり、前記フィードバック指示情報が、前記第一の装置が前記装置７００へ第三のデータのＡＣＫ／ＮＡＣＫフィードバック情報を送信することを指示することに用いられる。
【０１３７】
一つの選択可能な実施例として、前記受信機７１０は具体的に前記第一の装置が前記第二のデータ又は前記第二のデータのスケジューリング情報に占有されたリソースに基づいて確定した、ＡＣＫ／ＮＡＣＫフィードバック情報を送信するためのリソースで送信された前記第一のデータのＡＣＫ／ＮＡＣＫフィードバック情報を受信するように構成される。
【０１３８】
前記第一の指示情報はさらに前記第一のデータのＡＣＫ／ＮＡＣＫフィードバック情報を送信するためのリソース情報を含み、前記受信機７１０は具体的に前記第一の装置が前記第一のデータのＡＣＫ／ＮＡＣＫフィードバック情報のリソース情報に基づいて送信した前記第一のデータのＡＣＫ／ＮＡＣＫフィードバック情報を受信するように構成される。
【０１３９】
一つの選択可能な実施例として、前記第一の指示情報はハイブリッド自動再送リクエスト（ＨＡＲＱ）タイミング情報を含み、前記ＨＡＲＱタイミング情報が、前記第一の装置が前記第一の指示情報を受信する時間と前記第一の装置が前記ＡＣＫ／ＮＡＣＫフィードバック情報を送信する時間の間の時間間隔情報を示すことに用いられ、前記受信機７１０は具体的に前記第一の装置が前記ＨＡＲＱタイミング情報に基づいて送信した前記第一のデータのＡＣＫ／ＮＡＣＫフィードバック情報を受信するように構成される。
【０１４０】
一つの選択可能な実施例として、前記受信機７１０は具体的に前記第一の装置が前記第一のデータに含まれる全てのデータブロックを正確に復号する場合、前記装置７００が前記第一の装置から送信された前記第一のデータの確認（ＡＣＫ）情報を受信し、前記第一の装置が前記第一のデータに含まれる少なくとも一つのデータブロックを誤って復号する場合、前記装置７００が前記第一の装置から送信された前記第一のデータの非確認（ＮＡＣＫ）情報を受信するように構成される。
【０１４１】
理解すべきものとして、ここでの装置７００は具体的に上記の実施例における第二の装置であってもよく、そして上記方法の実施例における第二の装置に対応する各ステップ及び／又はプロセスを実行することに用いられてもよい。選択可能に、該メモリ７４０は読み取り専用メモリとランダムアクセスメモリを含み、プロセッサへ命令とデータを提供することができる。メモリの一部はさらに不揮発性ランダムアクセスメモリを含むことができる。例えば、メモリはさらに装置タイプの情報を記憶することができる。該プロセッサ７２０はメモリに記憶された命令を実行することに用いられてもよく、そして該プロセッサが該命令を実行する場合、該プロセッサは上記方法の実施例における第二の装置に対応する各ステップを実行することができる。
【０１４２】
理解すべきものとして、本出願の実施例では、プロセッサ６２０とプロセッサ７２０は中央処理ユニット（ＣＰＵ：Ｃｅｎｔｒａｌ  Ｐｒｏｃｅｓｓｉｎｇ  Ｕｎｉｔ）であってもよく、プロセッサは他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１４３】
理解すべきものとして、本明細書では用語「及び／又は」は、関連するオブジェクトの関連関係を記述するためのものに過ぎず、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１４４】
本出願の様々な実施例では、上記の各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０１４５】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１４６】
当業者は、便宜上且つ簡潔に説明するために、上述したシステム、装置とユニットの具体的な動作プロセスについて上記方法の実施例における対応するプロセスを参照でき、ここでは説明を省略することを明確に理解することができる。
【０１４７】
本出願が提供するいくつかの実施例では、開示されるシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時に他の区分方式もあり得て、例えば複数のユニット又は部材は組み合わせられてもよい又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１４８】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１４９】
また、本発明の各実施例における各機能ユニットは一つの処理ユニットに統合されてもよく、個々のユニットは単独で物理的に存在してもよく、２つ又は２つ以上のユニットは一つのユニットに統合されてもよい。
【０１５０】
前記機能はソフトウェア機能ユニットの形態で実現され且つ独立した製品として販売又は使用される場合、一つのコンピュータ可読記憶媒体に格納されてもよい。このような理解に基づき、本出願の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１５１】
以上は、本発明の具体的な実施形態に過ぎず、本発明の保護範囲はこれに制限されず、当業者が本発明に開示された技術範囲内で容易に想到し得る変化又は入れ替わりが全て本発明の保護範囲内に含まれるべきである。したがって、本発明の保護範囲は特許請求の範囲によって準拠するべきである。
【図１】
2019530260.tif 000003
【図２】
2019530260.tif 000004
【図３】
2019530260.tif 000005
【図４】
2019530260.tif 000006
【図５】
2019530260.tif 000007
【図６】
2019530260.tif 000008
【図７】
2019530260.tif 000009
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
データ伝送方法であって、
第一の装置が第二の装置から送信された第一の指示情報を受信し、前記第一の指示情報が、前記第二の装置へ第一のデータの確認又は非確認（ＡＣＫ／ＮＡＣＫ）フィードバック情報を送信するか否かを前記第一の装置に指示することに用いられることと、
前記第一の指示情報が、前記第一の装置が前記第二の装置へ前記第一のデータのＡＣＫ／ＮＡＣＫフィードバック情報を送信することを指示することに用いられる場合、前記第一の装置が前記第二の装置へ前記第一のデータのＡＣＫ／ＮＡＣＫフィードバック情報を送信することとを含む、データ伝送方法。
【請求項２】
前記第一の装置が第二の装置から送信された第一の指示情報を受信することは、
前記第一の装置が、前記第二の装置からの、前記第一のデータをカプセル化するためのメッセージ又は前記第一のデータのスケジューリング情報に含まれる前記第一の指示情報を受信すること、又は、
前記第一の装置が前記第二の装置からの、第二のデータをカプセル化するためのメッセージ又は前記第二のデータのスケジューリング情報に含まれる前記第一の指示情報を受信すること、を含むことを特徴とする
請求項１に記載の方法。
【請求項３】
前記第一のデータは前記第一の装置が第一の指示情報を受信する前又はその後に受信したＮ個のデータであり、Ｎが１以上であり、又は
前記第一のデータは前記第一の装置がＡＣＫ／ＮＡＣＫフィードバック情報を直近に送信した後に受信した少なくとも一つのデータであり、又は
前記第一のデータは前記第一の装置がフィードバック指示情報を直近に受信した後に受信した少なくとも一つのデータであり、前記フィードバック指示情報が、前記第二の装置へ第三のデータのＡＣＫ／ＮＡＣＫフィードバック情報を送信するように前記第一の装置に指示することに用いられることを特徴とする
請求項１に記載の方法。
【請求項４】
前記第一の装置が前記第二の装置へ前記第一のデータのＡＣＫ／ＮＡＣＫフィードバック情報を送信する前に、前記方法はさらに、
前記第一の装置が前記第二のデータ又は前記第二のデータのスケジューリング情報に占有されたリソースに基づき、前記ＡＣＫ／ＮＡＣＫフィードバック情報を送信するためのリソースを確定することを含み、
ここで、前記第一の装置が前記第二の装置へ前記第一のデータのＡＣＫ／ＮＡＣＫフィードバック情報を送信することは、
前記第一の装置が前記ＡＣＫ／ＮＡＣＫフィードバック情報のリソースで前記第二の装置へ前記第一のデータのＡＣＫ／ＮＡＣＫフィードバック情報を送信することを含むことを特徴とする
請求項２に記載の方法。
【請求項５】
前記第一の指示情報はさらに前記第一のデータのＡＣＫ／ＮＡＣＫフィードバック情報を送信するためのリソース情報を含み、
ここで、前記第一の装置が前記第二の装置へ前記第一のデータのＡＣＫ／ＮＡＣＫフィードバック情報を送信することは、
前記第一の装置が前記第一のデータのＡＣＫ／ＮＡＣＫフィードバック情報を送信するためのリソース情報に基づき、前記ＡＣＫ／ＮＡＣＫフィードバック情報を送信するためのリソースを確定することと、
前記第一の装置が前記ＡＣＫ／ＮＡＣＫフィードバック情報のリソースで前記第二の装置へＡＣＫ／ＮＡＣＫフィードバック情報を送信することとを含むことを特徴とする
請求項１乃至３のいずれか一項に記載の方法。
【請求項６】
前記第一の指示情報はハイブリッド自動再送リクエスト（ＨＡＲＱ）タイミング情報を含み、前記ＨＡＲＱタイミング情報が、前記第一の装置が前記第一の指示情報を受信する時間と前記第一の装置が前記ＡＣＫ／ＮＡＣＫフィードバック情報を送信する時間の間の時間間隔情報を示すことに用いられ、
ここで、前記第一の装置が前記第二の装置へ第一のデータのＡＣＫ／ＮＡＣＫフィードバック情報を送信することは、
前記第一の装置が前記ＨＡＲＱタイミング情報に基づいて前記第二の装置へ前記第一のデータのＡＣＫ／ＮＡＣＫフィードバック情報を送信することを含むことを特徴とする
請求項１乃至５のいずれか一項に記載の方法。
【請求項７】
前記第一の装置が前記第二の装置へ前記第一のデータのＡＣＫ／ＮＡＣＫフィードバック情報を送信することは、
前記第一の装置が前記第一のデータに含まれる全てのデータブロックを正確に復号する場合、前記第一の装置が前記第二の装置へ前記第一のデータの確認（ＡＣＫ）情報を送信することと、
前記第一の装置が前記第一のデータに含まれる少なくとも一つのデータブロックを誤って復号する場合、前記第一の装置が前記第二の装置へ前記第一のデータの非確認（ＮＡＣＫ）情報を送信することとを含むことを特徴とする
請求項１乃至６のいずれか一項に記載の方法。
【請求項８】
データ伝送方法であって、
第二の装置が第一の装置へ第一の指示情報を送信し、前記第一の指示情報が、前記第二の装置へ第一のデータの確認又は非確認（ＡＣＫ／ＮＡＣＫ）フィードバック情報を送信するか否かを前記第一の装置に指示することに用いられることと、
前記第一の指示情報が、前記第一の装置が前記第二の装置へ前記第一のデータのＡＣＫ／ＮＡＣＫフィードバック情報を送信することを指示することに用いられる場合、前記第二の装置が前記第一の装置から送信された前記第一のデータのＡＣＫ／ＮＡＣＫフィードバック情報を受信することとを含む、データ伝送方法。
【請求項９】
前記第二の装置が第一の装置へ第一の指示情報を送信することは、
前記第二の装置が前記第一のデータをカプセル化するためのメッセージ又は前記第一のデータのスケジューリング情報によって前記第一の装置へ前記第一の指示情報を送信することを含むこと、又は、
前記第二の装置が第二のデータをカプセル化するためのメッセージ又は前記第二のデータのスケジューリング情報によって前記第一の装置へ前記第一の指示情報を送信すること、特徴とする
請求項８に記載の方法。
【請求項１０】
前記第一のデータは前記第二の装置が前記第一の指示情報を送信する前又はその後に送信したＮ個のデータであり、Ｎが１以上であり、又は
前記第一のデータは前記第二の装置がＡＣＫ／ＮＡＣＫフィードバック情報を直近に受信した後に送信した少なくとも一つのデータであり、又は
前記第一のデータは前記第二の装置がフィードバック指示情報を直近に送信した後に送信した少なくとも一つのデータであり、前記フィードバック指示情報が、前記第二の装置へ第三のデータのＡＣＫ／ＮＡＣＫフィードバック情報を送信するように前記第一の装置に指示することに用いられることを特徴とする
請求項８に記載の方法。
【請求項１１】
前記第二の装置が前記第一の装置から送信された前記第一のデータのＡＣＫ／ＮＡＣＫフィードバック情報を受信することは、
前記第二の装置が、前記第一の装置が前記第二のデータ又は前記第二のデータのスケジューリング情報に占有されたリソースに基づいて確定した、ＡＣＫ／ＮＡＣＫフィードバック情報を送信するためのリソースで送信された前記第一のデータのＡＣＫ／ＮＡＣＫフィードバック情報を受信することを含むことを特徴とする
請求項９に記載の方法。
【請求項１２】
前記第一の指示情報はさらに前記第一のデータのＡＣＫ／ＮＡＣＫフィードバック情報を送信するためのリソース情報を含み、
ここで、前記第二の装置が前記第一の装置から送信された前記第一のデータのＡＣＫ／ＮＡＣＫフィードバック情報を受信することは、
前記第二の装置が、前記第一の装置が前記第一のデータのＡＣＫ／ＮＡＣＫフィードバック情報のリソース情報に基づいて送信した前記第一のデータのＡＣＫ／ＮＡＣＫフィードバック情報を受信することを含むことを特徴とする
請求項８乃至１０のいずれか一項に記載の方法。
【請求項１３】
前記第一の指示情報はハイブリッド自動再送リクエスト（ＨＡＲＱ）タイミング情報を含み、前記ＨＡＲＱタイミング情報が、前記第一の装置が前記第一の指示情報を受信する時間と前記第一の装置が前記ＡＣＫ／ＮＡＣＫフィードバック情報を送信する時間の間の時間間隔情報を示すことに用いられ、
ここで、前記第二の装置が前記第一の装置から送信された前記第一のデータのＡＣＫ／ＮＡＣＫフィードバック情報を受信することは、
前記第二の装置が、前記第一の装置が前記ＨＡＲＱタイミング情報に基づいて送信した前記第一のデータのＡＣＫ／ＮＡＣＫフィードバック情報を受信することを含むことを特徴とする
請求項８乃至１２のいずれか一項に記載の方法。
【請求項１４】
前記第二の装置が前記第一の装置から送信された前記第一のデータのＡＣＫ／ＮＡＣＫフィードバック情報を受信することは、
前記第一の装置が前記第一のデータに含まれる全てのデータブロックを正確に復号する場合、前記第二の装置が前記第一の装置から送信された前記第一のデータの確認（ＡＣＫ）情報を受信することと、
前記第一の装置が前記第一のデータに含まれる少なくとも一つのデータブロックを誤って復号する場合、前記第二の装置が前記第一の装置から送信された前記第一のデータの非確認（ＮＡＣＫ）情報を受信することとを含むことを特徴とする
請求項８乃至１３のいずれか一項に記載の方法。
【請求項１５】
データ伝送装置であって、
プロセッサと、
命令が記憶されるメモリと、を含み、前記命令が前記プロセッサにより実行される場合、前記プロセッサが請求項１乃至７のいずれか一項に記載の方法、又は請求項８乃至１４のいずれか一項に記載の方法を実行するようにする、データ伝送装置。
【国際調査報告】
2019530260.tif 000010
2019530260.tif 000011
2019530260.tif 000012
2019530260.tif 000013